(57)【特許請求の範囲】
【請求項１】
無線通信のための方法であって、
少なくとも１つのリレーのアクセスリンクおよびバックホールリンクに対して、そして１セットのノードに対して利用可能なリソースを割り当てるリソース分配を実行することと、
前記リソース分配に基づいて、前記少なくとも１つのリレーの中のリレーまたは前記１セットのノードにおけるノードに対して割り当てられたリソースを決定することと、
を備え、
前記リソース分配を実行することは、
前記１セットのノードに対して前記利用可能なリソースを割り当てるために、第１のリソース分配を実行することと、
前記第１のリソース分配に基づいて、前記リレーのサービングノードに対して割り当てられたリソースを決定することと、
前記リレーの前記アクセスリンクおよびバックホールリンクに対して、前記サービングノードに対して割り当てられた前記リソースを割り当てるために、第２のリソース分配を実行することと、
を備える、方法。
【請求項２】
前記リソース分配を実行することは、前記少なくとも１つのリレーの前記アクセスリンクおよびバックホールリンクに対して、そして、前記１セットのノードに対して、前記利用可能なリソースを同時に割り当てるリソース分配を実行することを備える、
請求項１に記載の方法。
【請求項３】
前記１セットのノードは、基地局と前記少なくとも１つのリレーを含み、リソース分配は、前記１セットのノードにおける各ノードについて計算されるメトリクスに基づいて実行され、各ノードについての前記メトリクスは、前記ノードの性能を示す、
請求項１に記載の方法。
【請求項４】
前記１セットのノードは、前記少なくとも１つのリレーについての少なくとも１つのサービングノードを含み、前記少なくとも１つのリレーを除外し、リソース分配は、前記１セットのノードにおける各ノードについて計算されるメトリクスに基づいて実行され、各サービングノードについてのメトリクスは、前記サービングノードによってサービス提供されるすべてのリレーと前記サービングノードの性能を示している、
請求項１に記載の方法。
【請求項５】
リソース分配は、前記リレーについてのバックホールレートを前記リレーのアクセスキャパシティに制限することによって実行され、前記アクセスキャパシティは可変であり、前記リレーの前記アクセスリンクに対して割り当てられたリソースに依存する、
請求項１に記載の方法。
【請求項６】
リソース分配は、前記リレーによってサービス提供されるすべての局についての合計レートを前記リレーのバックホールキャパシティに制限することによって実行され、前記バックホールキャパシティは可変であり、前記リレーの前記バックホールリンクに対して割り当てられたリソースに依存する、
請求項１に記載の方法。
【請求項７】
前記リレーはＭ個の局にサービス提供し、前記Ｍ個の局についての合計レートＲを有し、ここで、Ｍは１よりも大きく、Ｒはゼロよりも大きく、リソース分配は、レートＲ／Ｍをそれぞれ有するＭ個の局として前記リレーをモデル化することによって実行される、請求項１に記載の方法。
【請求項８】
少なくとも１つの局についての関連付けを実行することと、
前記関連付けに基づいて、前記少なくとも１つの局についての少なくとも１つのサービングノードを決定することと、
をさらに備える請求項１の方法。
【請求項９】
関連付けおよびリソース分配は、関連付けおよびリソース分配に関する複数の起こり得るアクションを評価することによって、共同して実行される、
請求項８に記載の方法。
【請求項１０】
前記リソース分配を実行することは、
リソース分配に関する複数の起こり得るアクションについての全体的なメトリクスを得ることと、
前記複数の起こり得るアクションについての前記全体的なメトリクスに基づいて、前記少なくとも１つのリレーの前記アクセスリンクおよびバックホールリンクに対して割り当てられたリソースと前記１セットのノードに対して割り当てられたリソースを決定することと、
を備える、請求項１に記載の方法。
【請求項１１】
前記複数の起こり得るアクションは、少なくとも１つの局についての関連付けに関する起こり得るアクションを含み、前記少なくとも１つの局についての少なくとも１つのサービングノードは、前記複数の起こり得るアクションについての前記全体的なメトリクスに基づいてさらに決定される、
請求項１０に記載の方法。
【請求項１２】
前記リソース分配を実行することは、
前記ノードによって前記複数の起こり得るアクションについてのローカルメトリクスを計算することと、
前記１セットのノードにおける少なくとも１つの近隣ノードから、前記複数の起こり得るアクションについてのローカルメトリクスを受信することと、
をさらに備え、前記全体的なメトリクスを得ることは、前記複数の起こり得るアクションについての前記受信されたローカルメトリクスと前記計算されたローカルメトリクスとに基づいて前記複数の起こり得るアクションについての前記全体的なメトリクスを決定することを備える、
請求項１０に記載の方法。
【請求項１３】
前記ローカルメトリクスを計算することは、各起こり得るアクションについて、
前記起こり得るアクションについての前記１セットのノードに対する前記利用可能なリソースの割り当てを決定することと、
前記１セットのノードに対する前記利用可能なリソースの前記割り当てに基づいて、前記ノードと通信している少なくとも１つの局についての少なくとも１つのレートを決定することと、
前記少なくとも１つの局についての前記少なくとも１つのレートに基づいて、前記起こり得るアクションについてのローカルメトリクスを決定することと、
を備える、請求項１２に記載の方法。
【請求項１４】
前記利用可能なリソースは、ダウンリンク用であり、前記ノードまたは前記リレーに対して割り当てられた前記リソースは、送信電力スペクトル密度（ＰＳＤ）レベルのリストによって与えられ、各利用可能なリソースにつき１つの送信ＰＳＤレベルがある、
請求項１に記載の方法。
【請求項１５】
前記利用可能なリソースは、アップリンク用であり、前記ノードまたは前記リレーに対して割り当てられた前記リソースは、ターゲット熱干渉（ＩｏＴ）レベルのリストによって与えられ、各利用可能なリソースにつき１つのターゲットＩｏＴレベルがある、
請求項１に記載の方法。
【請求項１６】
少なくとも１つのリレーのアクセスリンクおよびバックホールリンクに対して、そして１セットのノードに対して利用可能なリソースを割り当てるリソース分配を実行するための手段と、
前記リソース分配に基づいて、前記少なくとも１つのリレーの中のリレーまたは前記１セットのノードにおけるノードに対して割り当てられたリソースを決定するための手段と、
を備え、
前記リソース分配を実行することは、
前記１セットのノードに対して前記利用可能なリソースを割り当てるために、第１のリソース分配を実行することと、
前記第１のリソース分配に基づいて、前記リレーのサービングノードに対して割り当てられたリソースを決定することと、
前記リレーの前記アクセスリンクおよびバックホールリンクに対して、前記サービングノードに対して割り当てられた前記リソースを割り当てるために、第２のリソース分配を実行することと、
を備える、無線通信のための装置。
【請求項１７】
少なくとも１つの局についての関連付けを実行するための手段と、
前記関連付けに基づいて、前記少なくとも１つの局についての少なくとも１つのサービングノードを決定するための手段と、
をさらに備える請求項１６に記載の装置。
【請求項１８】
前記リソース分配を実行するための手段は、
リソース分配に関する複数の起こり得るアクションについての全体的なメトリクスを得るための手段と、
前記複数の起こり得るアクションについての前記全体的なメトリクスに基づいて、前記少なくとも１つのリレーの前記アクセスリンクおよびバックホールリンクに対して割り当てられたリソースと前記１セットのノードに対して割り当てられたリソースを決定するための手段、
を備える、請求項１６に記載の装置。
【請求項１９】
前記リソース分配を実行するための手段は、
前記ノードによって前記複数の起こり得るアクションについてのローカルメトリクスを計算するための手段と、
前記１セットのノードにおける少なくとも１つの近隣ノードから、前記複数の起こり得るアクションについてのローカルメトリクスを受信するための手段と、
をさらに備え、前記全体的なメトリクスを得るための手段は、前記複数の起こり得るアクションについての前記受信されたローカルメトリクスと前記計算されたローカルメトリクスとに基づいて前記複数の起こり得るアクションについての前記全体的なメトリクスを決定するための手段を備える、
請求項１８に記載の装置。
【請求項２０】
前記ローカルメトリクスを計算するための手段は、各起こり得るアクションについて、
前記起こり得るアクションについての前記１セットのノードに対する前記利用可能なリソースの割り当てを決定するための手段と、
前記１セットのノードに対する前記利用可能なリソースの前記割り当てに基づいて、前記ノードと通信している少なくとも１つの局についての少なくとも１つのレートを決定するための手段と、
前記少なくとも１つの局についての前記少なくとも１つのレートに基づいて前記起こり得るアクションについてのローカルメトリクスを決定するための手段と、
を備える、請求項１９に記載の装置。
【請求項２１】
少なくとも１つのリレーのアクセスリンクおよびバックホールリンクに対して、そして１セットのノードに対して利用可能なリソースを割り当てるリソース分配を実行するように、および前記リソース分配に基づいて前記少なくとも１つのリレーの中のリレーまたは前記１セットのノードにおけるノードに対して割り当てられたリソースを決定するように、構成された少なくとも１つのプロセッサ、
を備え、
リソース分配を実行するために、前記少なくとも１つのプロセッサは、
前記１セットのノードに対して前記利用可能なリソースを割り当てるために、第１のリソース分配を実行し、
前記第１のリソース分配に基づいて、前記リレーのサービングノードに対して割り当てられたリソースを決定し、
前記リレーの前記アクセスリンクおよびバックホールリンクに対して、前記サービングノードに対して割り当てられた前記リソースを割り当てるために、第２のリソース分配を実行する、
ように構成される、無線通信のための装置。
【請求項２２】
少なくとも１つのリレーのアクセスリンクおよびバックホールリンクに対して、そして１セットのノードに対して利用可能なリソースを割り当てるリソース分配を少なくとも１つのコンピュータに実行させるためのコードと、
前記リソース分配に基づいて前記少なくとも１つのリレーの中のリレーまたは前記１セットのノードにおけるノードに対して割り当てられたリソースを前記少なくとも１つのコンピュータに決定させるためのコードと、
を備え、
前記リソース分配を少なくとも１つのコンピュータに実行させるためのコードは、
前記１セットのノードに対して前記利用可能なリソースを割り当てるために、第１のリソース分配を実行するためのコードと、
前記第１のリソース分配に基づいて、前記リレーのサービングノードに対して割り当てられたリソースを決定するためのコードと、
前記リレーの前記アクセスリンクおよびバックホールリンクに対して、前記サービングノードに対して割り当てられた前記リソースを割り当てるために、第２のリソース分配を実行するためのコードと、
を備える、コンピュータプログラム。
【発明の詳細な説明】
【関連出願】
【０００１】
本願は、本出願の譲受人に譲渡され、参照により本明細書に組み込まれる、２００９年３月１９日に出願された「ASSOCIATION AND RESOURCE PARTITIONING IN HETEROGENEOUS NETWORKS WITH RELAYS」と題する米国仮出願番号第６１／１６１，６５３号の優先権を主張する。
【技術分野】
【０００２】
本開示は、一般的には通信に関し、より具体的には無線通信をサポートするための技術に関する。
【背景技術】
【０００３】
無線通信ネットワークは、音声、ビデオ、データ、パケットデータ、メッセージング、ブロードキャスト等のような様々な通信コンテンツを提供するように広く展開されている。これらの無線ネットワークは、利用可能なネットワークリソースを共有することによって、複数ユーザをサポートすることができる多元接続ネットワークであってもよい。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
無線通信ネットワークは、多数のユーザ機器（ＵＥ）のための通信をサポートすることができる多数の基地局を含むことができる。ＵＥは、ダウンリンクおよびアップリンクを介して基地局と通信することができる。ダウンリンク（または順方向リンク）は基地局からＵＥまでの通信リンクを指し、アップリンク（または逆方向リンク）は、ＵＥから基地局までの通信リンクを指す。
【０００５】
無線ネットワークはまた、無線ネットワークのカバレッジおよびキャパシティを改善するために、リレーを含むことができる。リレーは、バックホールリンク上で基地局と通信することができ、基地局にとってはＵＥに見える場合がある。リレーはまた、アクセスリンク上で１つまたは複数のＵＥと通信することができ、ＵＥにとっては、基地局に見える場合がある。リレーは、基地局とＵＥと通信するためにリソースを利用する。リレーの効率的なオペレーションをサポートすることが望ましい。
【発明の概要】
【０００６】
リレーを用いた無線ネットワークにおける関連付け（association）およびリソース分配（resource partitioning）を実行するための技術がここにおいて説明される。関連付けは、局についてのサービングノードを決定するプロセスを指す。ノードは、基地局またはリレーであることができ、局は、ＵＥまたはリレーであることができる。リソース分配は、ノードに対して利用可能なリソースを割り当てるプロセスを指す。リソース分配はまた、リレーのバックホールリンクとアクセスリンクとの間でリソースを割り当てるために使用されることができる。関連付けは、サーバ選択とも呼ばれることができる。リソース分配はまた、リソース割り当て、リソース調整などとも呼ばれることができる。
【０００７】
一態様では、リソース分配は、少なくとも１つのリレーのアクセスリンクおよびバックホールリンクに対して、そして、１セットのノードに対して、利用可能なリソースを割り当てるために実行されることができる。一設計では、１セットのノードにおけるノードは、リソース分配に関する複数の起こり得るアクション（a plurality of possible actions）についてのローカルメトリクス（local metrics）を計算することができる。ノードは、少なくとも１つの近隣ノードから複数の起こり得るアクションについてのローカルメトリクスを受信することができ、計算されたローカルメトリクスと受信されたローカルメトリクスに基づいて起こり得るアクションについての全体的なメトリクスを決定することができる。ノードは、起こり得るアクションについての全体的なメトリクスに基づいて、１セットのノードに対して割り当てられたリソースと、少なくとも１つのリレーのアクセスリンクおよびバックホールリンクに対して割り当てられたリソースと、を決定することができる。
【０００８】
別の態様では、関連付けは、リレーの性能を考慮して実行されることができる。一設計では、少なくとも１つのリレーを含んでいる関連付けに関する複数の起こり得るアクションについてのメトリクスが得られることができる。複数の起こり得るアクションは、（ｉ）ノードから近隣ノードへと１つまたは複数の局をハンドアウトするための起こり得るアクション、および／または、（ｉｉ）近隣ノードからノードへと１つまたは複数の局においてハンドインするための起こり得るアクション、を含むことができる。少なくとも１つの局についての少なくとも１つのサービングノードは、複数の起こり得るアクションについてのメトリクスに基づいて決定されることができる。少なくとも１つのサービングノードと少なくとも１つの局は、少なくとも１つの局を備えることができる。一設計では、リレーについてのメトリクス（例えば、レート）は、リレーのアクセスリンクおよびバックホールリンクに対して割り当てられたリソースに基づいて、および／または、リレーのアクセスキャパシティおよびバックホールキャパシティに基づいて、計算されることができる。メトリクスは、少なくとも１つの局について少なくとも１つのサービングノードを選択するために使用されることができる。
【０００９】
さらに、別の態様では、関連付けおよびリソース分配は、例えば関連付けおよびリソース分配に関する複数の起こり得るアクションについてのメトリクスを計算することによって、共同して（jointly）実行されることができる。一設計では、局について選択されたサービングノードと利用可能なリソースは、局とノードとの間の異なって起こり得る関連付け、ノードへのリソースの異なって起こり得る割り当てと、アクセスリンクおよびバックホールリンクへのリソースの異なって起こり得る割り当てと、を評価することによってアクセスリンクおよびバックホールリンクに対して、そして、ノードに対して、割り当てられることができる。
【００１０】
本開示の様々な態様および特徴は、下記に詳述されている。
【図面の簡単な説明】
【００１１】
【図１】図１は、無線通信ネットワークを示す。
【図２】図２は、リレーを介した基地局とＵＥとの間の通信を示す。
【図３】図３は、アクセスリンクとバックホールリンクとの間のリソースの分配を示す。
【図４】図４は、リレーのアクセスキャパシティとバックホールキャパシティを示す。
【図５】図５は、関連付けおよびリソース分配を実行するためのプロセスを示す。
【図６】図６は、それぞれ、ノードおよびアクセスリンク／バックホールリンクについての統合リソース分配（unified resource partitioning）との通信をサポートするためのプロセスおよび装置を示す。
【図７】図７は、それぞれ、ノードおよびアクセスリンク／バックホールリンクについての統合リソース分配との通信をサポートするためのプロセスおよび装置を示す。
【図８】図８は、統合リソース分配を実行するためのプロセスを示す。
【図９】図９は、それぞれ、リレーを含んでいる関連付けとの通信をサポートするためのプロセスおよび装置を示す。
【図１０】図１０は、それぞれ、リレーを含んでいる関連付けとの通信をサポートするためのプロセスおよび装置を示す。
【図１１】図１１は、それぞれ、リレーによる通信をサポートするためのプロセスおよび装置を示す。
【図１２】図１２は、それぞれ、リレーによる通信をサポートするためのプロセスおよび装置を示す。
【図１３】図１３は、それぞれ、ＵＥによって通信するためのプロセスおよび装置を示す。
【図１４】図１４は、それぞれ、ＵＥによって通信するためのプロセスおよび装置を示す。
【図１５】図１５は、ノードと局のブロック図を示す。
【詳細な説明】
【００１２】
ここにおいて記載された技法は、ＣＤＭＡ、ＴＤＭＡ、ＦＤＭＡ、ＯＦＤＭＡおよびＳＣ−ＦＤＭＡ、および他のネットワークのような様々な無線通信ネットワークに使用されることができる。用語「ネットワーク（network）」と「システム（system）」はしばしば互換性をもって使用される。ＣＤＭＡネットワークは、ＵＴＲＡ（Universal Terrestrial Radio Access）、ｃｄｍａ２０００などの無線技術をインプリメントすることができる。ＵＴＲＡは、広帯域ＣＤＭＡ（ＷＣＤＭＡ）およびＣＤＭＡの他の変形を含む。ｃｄｍａ２０００は、ＩＳ−２０００、ＩＳ−９５、およびＩＳ−８５６標準を含む。ＴＤＭＡネットワークは、ＧＳＭ（登録商標）（Global System for Mobile Communications）のような無線通信方法をインプリメントすることができる。ＯＦＤＭＡネットワークは、発展型ＵＴＲＡ（Ｅ−ＵＴＲＡ）、ＵＭＢ（Ultra Mobile Broadband）、ＩＥＥＥ８０２．２０（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などのような無線技術をインプリメントすることができる。ＵＴＲＡとＥ−ＵＴＲＡは、ＵＭＴＳ（Universal Mobile Telecommunication System）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの新しいリリースであり、そしてそれは、ダウンリンク上ではＯＦＤＭＡを利用しアップリンク上ではＳＣ−ＦＤＭＡを利用する。ＵＴＲＡ、Ｅ−ＵＴＲＡ、ＬＴＥ、ＬＴＥ−ＡおよびＧＳＭは、「第３世代パートナーシッププロジェクト」（３ＧＰＰ）と称する組織の文書の中で説明されている。さらに、ｃｄｍａ２０００およびＵＭＢは、「第３世代パートナーシッププロジェクト２」（３ＧＰＰ２）と称する組織の文書の中で説明されている。ここで説明される技術は、無線ネットワークおよび無線技術、さらに、他の無線ネットワークおよび無線技術に使用されることができる。
【００１３】
図１は、無線通信ネットワーク１００を示し、多数の基地局および他のネットワークエンティティを含むことができる。基地局は、ＵＥとリレーと通信するエンティティであることができ、ノード、ノードＢ、発展型ノードＢ（ｅＮＢ）、アクセスポイントなどとも呼ばれることができる。各基地局は、特定の地理領域についての通信カバレッジを提供することができる。３ＧＰＰでは、用語「セル」は、基地局のカバレッジエリアおよび／またはこのカバレッジエリアをサービス提供する基地局のサブシステムを指すことができ、そしてそれは、用語が使用されるコンテキストによって決まる。３ＧＰＰ２では、用語「セクタ」また「セルセクタ」は、基地局のカバレッジエリアおよび／またはこのカバレッジエリアをサービス提供する基地局のサブシステムを指すことができる。明瞭にするため、３ＧＰＰコンセプトの「セル」がここにおける説明の中では使用される。
【００１４】
基地局は、マクロセル、ピコセル、フェムトセル、および／または、他のタイプのセルについての通信カバレッジを提供することができる。マクロセルは、相対的に大きい地理領域（例えば半径数キロメートル）をカバーすることができ、サービス加入を備えたＵＥによる制約されないアクセスを可能にすることができる。ピコセルは、相対的に小さい地理領域をカバーすることができ、サービス加入を備えたＵＥによる制約されないアクセスを可能にすることができる。フェムトセルは、相対的に小さい地理領域（例えば、住居）をカバーすることができ、フェムトセルとの関連付けを有するＵＥ（例えば、クローズド加入者グループ（ＣＳＧ）におけるＵＥ）による制約されたアクセスを可能にすることができる。図１で示される例では、無線ネットワーク１００は、マクロセルについてはマクロ基地局１１０および１１２、ピコセルについてはピコ基地局１１４、そして、フェムトセルについてはフェムト／ホーム基地局１１６、を含む。
【００１５】
無線ネットワーク１００はまた、リレー、例えばリレー１１８を含むことができる。リレーは、アップストリームエンティティ（例えば基地局またはＵＥ）からデータのメッセージ（transmission of data）を受信し、ダウンストリームエンティティ（例えばＵＥまたは基地局）に対してデータのメッセージを送る、エンティティでありうる。リレーはまた、他のＵＥのメッセージをリレーするＵＥであることができる。リレーはまた、ノード、局、リレー局、リレー基地局、リレーノードなどとも呼ばれることができる。
【００１６】
無線ネットワーク１００は、異なるタイプの基地局、例えばマクロ基地局、ピコ基地局、フェムト基地局、リレー、などを含む異種ネットワークであることができる。これらの異なるタイプの基地局は、異なる送信電力レベル、異なるカバレッジエリア、そして、無線ネットワーク１００における干渉に関する異なる影響を有することができる。例えば、マクロ基地局は、高い送信電力レベル（例えば、２０ワットまたは４３ｄＢｍ）を有することができ、ピコ基地局とリレーは、より低い送信電力レベル（例えば、２ワットまた３３ｄＢｍ）を有することができ、フェムト基地局は、低い送信電力レベル（例えば、０．２ワットまたは２３ｄＢｍ）を有することができる。異なるタイプの基地局は、異なる最大送信電力レベルを有する異なる電力クラスに属することができる。
【００１７】
ネットワークコントローラ１３０は、１セットの基地局に結合することができ、これらの基地局に対して調整および制御を提供することができる。ネットワークコントローラ１３０は、バックホールを介して基地局と通信することができる。基地局はまた、バックホールを介して互いに通信することができる。
【００１８】
ＵＥ１２０は、無線ネットワーク１００全体にわたって分散しており、各ＵＥは、固定型またはモバイルであってもよい。ＵＥは、局、端末、モバイル局、加入者ユニットなどとも呼ばれることができる。ＵＥは、セルラ電話、携帯情報端末（ＰＤＡ）、無線モデム、無線通信デバイス、ハンドヘルドデバイス、ラップトップコンピュータ、コードレス電話、無線ローカルループ（ＷＬＬ）局などであってもよい。ＵＥは、基地局、リレー、他のＵＥなどと通信可能であることができる。
【００１９】
図２は、リレー１１８を介して基地局１１０とＵＥ１２０との間の通信を図示する。リレー１１８は、バックホールリンクを介して基地局１１０と通信することができ、アクセスリンクを介してＵＥ１２０と通信することができる。バックホールリンク上では、リレー１１８は、バックホールダウンリンクを介して基地局１１０からダウンリンクメッセージ（downlink transmission）を受信することができ、バックホールアップリンクを介して基地局１１０に対してアップリンクメッセージ（uplink transmission）を送ることができる。アクセスリンク上では、リレー１１８は、アクセスダウンリンクを介してＵＥ１２０に対してダウンリンクメッセージを送ることができ、アクセスアップリンクを介してＵＥ１２０からアップリンクメッセージを受信することができる。
【００２０】
無線ネットワークは、ダウンリンクおよびアップリンクの各々についての１セットのリソースをサポートすることができる。利用可能なリソースは、時間、または、周波数、または、時間および周波数の両方、または、他の基準、に基づいて定義されることができる。例えば、利用可能なリソースは、異なる周波数サブバンド、または、異なる時間インタレース、または、異なる時間−周波数ブロックなどに対応することができる。時間インタレースは、例えばＳ番目の時間スロットごとのような均等な間隔の時間スロットを含むことができ、ここでは、Ｓは整数値であることができる。利用可能なリソースは全体の無線ネットワークについて定義されることができる。
【００２１】
リレー１１８は、同時に同じ周波数チャネル上で送信および受信することができない。したがって、ダウンリンクについての利用可能なリソースのうちのいくつかは、アクセスリンクについて割り当てられることができ、ダウンリンクアクセスリソースと呼ばれることができる。リレー１１８は、ダウンリンクアクセスリソース上でＵＥ１２０に対してダウンリンクメッセージを送ることができ、残りのダウンリンクリソース上で基地局１１０からのダウンリンクメッセージを受信することができる。同様に、アップリンクについての利用可能なリソースのうちのいくつかは、アクセスリンクについて割り当てられることができるが、アップリンクアクセスリソースと呼ばれることができる。リレー１１８は、アップリンクアクセスリソース上でＵＥ１２０からアップリンクメッセージを受信することができ、残りのアップリンクリソース上で基地局１１０に対してアップリンクメッセージを送ることができる。明瞭のため、下記の説明の多くは、ダウンリンク上の送信についてである。
【００２２】
図３は、リレー１１８のアクセスリンクとバックホールリンクとの間のダウンリンクについての利用可能なリソースの分配の例を図示する。インデックス１〜Ｋを備えたＫ個のリソースは、ダウンリンクに対して利用可能であり、ここにおいて、Ｋは、いずれの整数値であることができる。図３で図示される例では、リソース２、５、・・・Ｋは、アクセスダウンリンクについて割り当てられる。リレー１１８は、リソース２、５、・・・、Ｋ上でそのＵＥ（またはリレーＵＥ）に対して送信することができ、残りのダウンリンクリソース上でサービング基地局１１０から送信をリッスンすることができる。基地局１１０は、リソース２、５、・・・、Ｋ上でそのＵＥ（またはマクロＵＥ）に対して送信することができ、残りのリソース上でそのＵＥおよび／またはリレー１１８に対して送信することができる。
【００２３】
ここにおける説明では、ノードは、基地局またはリレーであることができる。基地局は、マクロ基地局、ピコ基地局、フェムト基地局等でありうる。リレーにサービス提供するノードは、リレーのサービングノードと呼ばれる。ＵＥにサービス提供するノードは、ＵＥのサービングノードと呼ばれる。局は、ノードと通信するエンティティである。局は、ＵＥまたはリレーであることができる。あるシナリオでは、局はＵＥであってもよく、ノードは、基地局またはリレーであってもよい。別のシナリオでは、局はリレーであってもよく、ノードは、基地局であってもよい。
【００２４】
一態様では、統合リソース分配は、１つまたは複数のリレーのアクセスリンク及バックホールリンクに対して、そして１セットのノードに対して、所与リンク（例えば、ダウンリンクまたはアップリンク）について利用可能なリソースを割り当てるために実行されることができる。したがって、統合リソース分配は、（ｉ）１セットのノードに対して利用可能なリソースを割り当てて、例えば干渉を緩和させる、リソース分配、そして、（ｉｉ）リレーのアクセスリンクおよびバックホールリンク間でリソースを割り当てるリソース分配、の両方をカバーすることができる。ノードおよびアクセスリンク／バックホールリンクについての統合リソース分配は、リレーとそれらのサービングノードとの間の相互依存性に起因して性能を改善することができる。特に、リレーのスケジューリング決定は、そのサービングノードと場合によっては他のノードの性能に影響を与えることができる。同様に、サービングノードのスケジューリング決定は、そのリレーおよび他のノードの性能に影響を与えることができる。改善された性能は、（ｉ）１セットのノードに対して利用可能なリソースを割り当てるリソース分配、そして、（ｉｉ）リレーのアクセスリンクおよびバックホールリンク間のリソース分配、を同時実行することによって達成されることができる。ノードおよびアクセスリンク／バックホールリンクについての統合リソース分配は、後述されるように実行されることができる。
【００２５】
局（例えば、ＵＥまたはリレー）は、１つまたは複数のノードのカバレッジ内に配置されることができる。ある設計では、ダウンリンクおよびアップリンクの両方上で局にサービス提供するために、単一のノードが選択されることができる。別の設計では、ダウンリンクおよびアップリンクの各々上で、局にサービス提供するために、１つのノードが選択されることができる。両方の設計に関して、サービングノードは、最大ジオメトリ／信号強度、最小パスロス、最大エネルギー／干渉効率、最大ユーザスループットなどのようなメトリックに基づいて局について選択されることができる。ジオメトリは、受信された信号品質に関し、そしてそれは、熱キャリア（ＣｏＴ：carrier-over-thermal）、信号対雑音比（ＳＮＲ）、信号対雑音および干渉比（ＳＩＮＲ）、キャリア対干渉比（Ｃ／Ｉ）等によって数量化されることができる。エネルギー／干渉効率を最大化させることは、（ｉ）ビットあたりの要求される送信エネルギーを最小化すること、または、（ｉｉ）受信された有用な信号エネルギーのユニットあたりの受信干渉エネルギーを最小化すること、を伴うことができる。パート（ｉｉ）は、意図されたノードについてのチャネル利得と、すべての干渉されたノードについてのチャネル利得の和と、の比を最大化することに対応することができる。ユーザスループットを最大化させることは、様々な要因、例えばノードのローディング（例えば、ノードによって現在サービス提供される局の数）、ノードに対して割り当てられたリソースの量、ノードの利用可能なバックホールキャパシティ、などを考慮することができる。
【００２６】
関連付けは、最初に電源をオンにするときに局について実行されることができ、最初の関連付け（initial association）と呼ばれることができる。関連付けはまた、局のハンドオーバのために、新しいサービングノードを選択するように実行されることができる。
【００２７】
別の態様では、１つまたは複数のリレーを含んでいる関連付けは、リレーの性能を考慮することによって実行されることができる。リレーを含んでいる関連付けは、（ｉ）リレーについてのサービングノードを選択すること、または、（ｉｉ）ＵＥについてのサービングノードとしてリレーを選択するかどうかを決定すること、をカバーすることができる。いずれのケースにおいても、リレーの性能は、リレーの特性（例えば、リレーのアクセスリンクおよびバックホールリンクに対して割り当てられたリソース）に基づいて決定されることができ、サーバ選択に使用されることができる。
【００２８】
リソース分配および関連付けは、関連していてもよく、あるものは他のものに影響を与えうる。例えば、局とノードとの間の新しい関連付けは、あるノードから別のノードへとローディングをシフトすることができ、そして、例えばリンクアンバランスまたは制約された関連付けに起因した高い干渉に取り組むために、リソース分配をトリガしうる／必要としうる。対照的に、リソース分配は、異なるリソースに対して信号および干渉条件に影響を与える可能性があり、そしてそれは、関連付けを決定するために使用されるメトリクスに影響を与えうる。例えば、ダウンリンクジオメトリのようなメトリクスは、リソース分配から生じる信号および干渉条件の変化に起因して、すべてのリソース上で信号品質をもはや示さない可能性がある。さらに、リソース分配は、ノードについての利用可能なリソースの量に影響を与えうる、そして、セルローディングにより影響を受けうる。
【００２９】
さらに別の態様では、関連付けおよびリソース分配は共同して実行されることができる。共同の関連付けおよびリソース分配の場合、サービングノードは、局について選択されることができ、利用可能なリソースは、局とノードとの間の異なって起こり得る関連付け、ノードへのリソースの異なって起こり得る関連付け、および、アクセスリンクおよびバックホールリンクへのリソースの異なって起こり得る関連付けを考慮することによって、ノードに対して、そして、アクセスリンクおよびバックホールリンクに対して、割り当てられることができる。このことは、関連付けが現在のリソース分配およびローディングを考慮することを可能にすることができ、リソース分配が関連付けの更新に基づいて更新されることを可能にすることができ、そして、関連付けがリソース分配および／または他の関連付けの更新における変更に基づいて更新されることを可能にすることができる。
【００３０】
ある設計では、関連付けおよび／またはリソース分配は、集中型方式で実行されることができる。この設計では、指定されたエンティティは、局およびノードの関連情報を受信し、関連付けおよび／またはリソース分配についてのメトリクスを計算し、その計算されたメトリクスに基づいて最良な関連付けおよび／またはリソース分配を選択することができる。別の設計では、関連付けおよび／またはリソース分配は、１セットのノードによって分散型方式で実行されることができる。この設計では、各ノードは、あるメトリクスを計算することができ、近隣ノードとメトリクスを交換することができる。各ノードは、最良な性能を提供することができる関連付けおよび／またはリソース分配を決定し選択することができる。
【００３１】
関連付けおよび／またはリソース分配は、ダウンリンクのみ、または、アップリンクのみ、または、ダウンリンクおよびアップリンクの両方、について実行されることができる。リソース分配は、ダウンリンクおよびアップリンクごとに異なる方式で実行されることができる。明瞭にするため、ダウンリンクについての共同の関連付けおよびリソース分配は、下記で詳述される。
【００３２】
表１は、ダウンリンクについての共同の関連付けおよびリソース分配に使用されることができる１セットのコンポーネントをリストしている。
【表１】
0005475103.tif 000002
【００３３】
一設計では、アクティブセットは各局について維持されることができ、局によって行われたパイロット測定、および／または、ノードによって行われるパイロット測定に基づいて、決定されることができる。所与の局ｔについてのアクティブセットは、（ｉ）ダウンリンク上では局ｔによって観察される信号または干渉への無視できない寄与を有する、および／または、（ｉｉ）アップリンク上では局ｔから無視できない信号または干渉を受信する、ノードを含むことができる。ある設計では、このノードのＣｏＴがしきい値ＣｏＴｍｉｎよりも大きい場合にはアクティブセットの局ｔに、ノードは含まれることができる。ノードはまた、受信信号強度および／または他の基準に基づいてアクティブセットに含まれることができる。アクティブセットは、関連付けおよび／またはリソース分配の計算の複雑さを減らすために、制限されることができる（例えば、Ｎ個の最も強いノードに制限されることができる、なお、Ｎは、任意の適切な値であることができる）。
【００３４】
一設計では、近隣セットは、各ノードについて維持されることができ、そして、関連付けおよび／またはリソース分配に参与するノードを含むことができる。各ノードについての近隣セットは、アクティブセットの局に基づいて決定されることができる。一設計では、所与ノードｐについての近隣セットは、（ｉ）ノードｐによってサービス提供されるアクティブセットの局の中にあるノード、そして、（ｉｉ）それらのアクティブセットの中にノードｐを有する局にサービス提供するノード、を含むことができる。したがって、近隣セットは、ノードｐとその近隣ノードを含むことができる。近隣セットは、関連付けおよび／またはリソース分配のコンピューテーション複雑さを減らすために制限されることができる。
【００３５】
近隣セットは、リレーが存在するとき、様々な方法で形成されることができる。第１の近隣セットの設計では、近隣セットは、リレーだけではなく基地局にも対応するノードを含むことができる。この設計では、メトリクスは、近隣セットにおいて（各リレーを含む）各ノードについて計算され、関連付けおよび／またはリソース分配に使用されることができる。第２の近隣セットの設計では、近隣セットは、リレー以外の、基地局に対応するノードを含むことができる。この設計では、メトリクスは、リレーのサービングノードについて計算されることができ、リレーの効果を説明することができる。両方の設計に関して、近隣セットは、お互いに近隣ではないが、リレーの近隣であるノードを含むことができる。例えば、所与リレーｚは、サービングノードｓによってサービス提供されうる、また、別のノードｑの範囲内にありうる、ここで、ノードｓおよびｑは、互いに範囲内にない。ノードｓについての近隣セットは、リレーｚからの潜在的影響（potential effect）に起因するノードｑを含むことができる。同様に、ノードｑについての近隣セットは、リレーｚからの潜在的影響に起因するノードｓを含むことができる。第１の近隣セットの設計の場合、サービングノードｓが別のノードの近隣セットに含まれる場合、リレーｚはまた、近隣セットに含まれることができる。近隣セットはまた、他の方式で定義されることができる。
【００３６】
一設計では、１セットの送信ＰＳＤレベルは各ノードについて定義することができ、また、ダウンリンク上で各リソースについてノードによって使用されることができるすべての送信ＰＳＤレベルを含むことができる。ノードは、各リソースについて送信ＰＳＤレベルのうちの１つを使用することができる。一設計では、１セットの送信ＰＳＤレベルは、名目ＰＳＤレベル、低いＰＳＤレベル、ゼロＰＳＤレベルなどを含むことができる。すべての利用可能なリソースに関する名目ＰＳＤレベルは、ノードの最大送信電力に対応することができる。ノードについての１セットの送信ＰＳＤレベルは、ノードの電力クラスに依存することができる。一設計では、所与の電力クラスについての１セットの送信ＰＳＤレベルは、この電力クラス以下であるすべての電力クラスの公称ＰＳＤレベルの結合（union of the nominal PSD levels）にゼロＰＳＤレベルを足したものである。例えば、マクロ基地局／ノードは、（マクロ電力クラスのための）４３ｄＢｍの公称ＰＳＤレベル、（ピコ電力クラス用の名目ＰＳＤレベルに対応する）３３ｄＢｍの低いＰＳＤレベル、およびゼロＰＳＤレベル、を含むことができる。各電力クラスについての１セットの送信ＰＳＤレベルはまた、他の方法で定義されることができる。
【００３７】
効用関数（utility function）は、関連付けおよび／またはリソース分配のために、ローカルメトリクスと全体的なメトリクスを計算するために使用されることができる。所与ノードｐについてのローカルメトリックは、Ｕ（ｐ）と表され、所与の関連付けおよび／またはリソース分配についてノードの性能を示すことができる。１セットのノード、ＮＳについての全体的なメトリックは、Ｖ（ＮＳ）と表され、所与関連付けおよび／またはリソース分配について１セットのノードの全体的な性能を示すことができる。
【００３８】
ある設計では、効用関数は、下記のように、ユーザレートの和に基づいて定義されることができる。
【数１】
0005475103.tif 000003
【００３９】
なお、Ｓ（ｔ）は、局ｔについてのサービングノードであり、Ｒ（ｔ）は、ノードｐについての局ｔによって達成されたレートである。
【００４０】
他の設計では、効用関数は、ユーザレートの最小値、または、ユーザレートのログの和、または、ユーザレートのログのログの和、または、−１／（ユーザレート）３の和、または、レート、レイテンシ、キュー・サイズなどの他の何らかの関数、と同等であることができる。
【００４１】
各ノードについてのローカルメトリクスは、例えば式（１）に示されるような、そのノードによってサービス提供される局のレートに基づいて計算されることができる。一設計では、各局のレートは、局は、各利用可能なリソースの一部分を割り当てられるということを仮定することによって、推定されることができる。この一部分は、α（ｔ，ｒ）として表されることができ、リソースｒが局ｔに対して割り当てられている間の時間の一部分とみなされることができる。局ｔについてのレートは、下記のように計算されることができる。
【数２】
0005475103.tif 000004
【００４２】
なお、ＳＥ（ｔ，ｒ）は、リソースｒ上の局ｔのスペクトル効率であり、Ｗ（ｒ）は、リソースｒの帯域幅である。
【００４３】
リソースｒ上の局ｔのスペクトル効率は、下記のように決定されることができる。
【数３】
0005475103.tif 000005
【００４４】
なお、ＰＳＤ（ｐ，ｒ）は、リソースｒ上のサービングノードｐの送信ＰＳＤであり、ＰＳＤ（ｑ，ｒ）は、リソースｒ上の近隣ノードｑの送信ＰＳＤであり、Ｇ（ｐ，ｔ）は、サービングノードｐと局ｔとの間のチャネル利得であり、Ｇ（ｑ，ｔ）は、近隣ノードｑと局ｔとの間のチャネル利得であり、Ｎ０は、局ｔによって観察された、環境干渉および熱雑音であり、Ｃ（）は、キャパシティ関数を表す。
【００４５】
式（３）では、括弧内の分子は、局ｔにおけるサービングノードｐからの望ましい受信電力を表す。分母は、すべての近隣ノードからの合計干渉、そして局ｔにおけるＮ０を表わす。リソースｒ上のノードｐおよびｑによって使用される送信ＰＳＤは、現在のリソース分配から知ることができる。ノードｐおよびｑについてのチャネル利得は、局ｔからのパイロット測定に基づいて得られることができる。Ｎ０は、ＵＥ  ｔによって測定／推定され、計算に含まれることができる、または、無線ネットワークに対して（例えば、サービングノードｐに対して）ＵＥ  ｔによって報告されることができる、または、（例えば、計算がノードｐによって行われるときには）無視されてもよい。キャパシティ関数は、制約されたキャパシティ関数、制約されていないキャパシティ関数、などであることができる。
【００４６】
各ノードについてのプレスケジューラは、スケジュール予測を実行することができ、下記のように、α（ｔ，ｒ）パラメータの空間にわたって効用関数を最大化させることができる。
【数４】
0005475103.tif 000006
【００４７】
式（４）は、α（ｔ，ｒ）パラメータに関して凸最適化を示し、数的に解決されることができる。
【００４８】
局ｔのレートは、下記のように制約されうる。
【数５】
0005475103.tif 000007
【００４９】
なお、Ｒｍａｘ（ｔ）は、局ｔにサポートされた最大レートである。
【００５０】
ノードｐについての全体的なレートＲ（ｐ）は、下記のように、制約されうる。
【数６】
0005475103.tif 000008
【００５１】
なお、ＲＢＨ（ｐ）はノードｐのバックホールキャパシティである。
【００５２】
異なるタイプのノードは、異なるバックホールキャパシティを有することができる。基地局のバックホールキャパシティは、固定値でありうるのに対して、リレーのバックホールキャパシティは、リレーについてのアクセス／バックホール分配に依存しうる変数値でありうる。ノードｐのバックホールキャパシティは、関連付けの決定のために、バックホールを介しておよび／または無線で、近隣ノードに対して送られることができる。
【００５３】
図４は、所与リレーｚのアクセスキャパシティとバックホールキャパシティを図示する。図４で図示される例では、リレーｚは、考慮中であるリソース分配によってアクセスダウンリンクに対して割り当てられたリソース上で、Ｍ個の局１’〜Ｍ’にサービス提供する。リレーｚは、これらのＭ個の局についてのレートＲ（１’）〜Ｒ（Ｍ’）を得る。リレーｚのアクセスキャパシティは、下記のように計算することができる。
【数７】
0005475103.tif 000009
【００５４】
なお、Ｒ（ｔ’）は、リレーｚについての局ｔ’によって達成されたレートであり、ＲＡＣ（ｚ）は、リレーｚのアクセスキャパシティである。
【００５５】
図４で図示される例では、サービングノードｓは、考慮中のリソース分配によってノードｓに対して割り当てられたリソース上で、リレーｚだけでなく、Ｌ個の局１〜Ｌにもサービス提供する。サービングノードｓは、これらのＬ局についてはレートＲ（１）〜Ｒ（Ｌ）、リレーｚについてはレートＲ（ｚ）を得る。各局のレートとリレーｚのレートは、式（２）および（３）で示されるように計算することができる。しかしながら、リレーｚは、アクセスダウンリンクに対して割り当てられたリソース上でサービングノードｓによってスケジュールされない、なぜならば、リレーｚは、これらのリソース上でその局に対して送信することができるからである。したがって、リレーｚについてのα（ｚ，ｒ）パラメータは、アクセスダウンリンクに対して割り当てられた各リソースについてはゼロに設定されることができ、それぞれのこのようなリソース上のリレーｚについてのレートＲ（ｚ，ｒ）は、ゼロとなるであろう。図３で図示される例では、リレーｚは、リソース２、５、・・・、Ｋ上でサービングノードｓによってスケジュールされず、これらのリソースの各々についてゼロのレートを有する。
【００５６】
サービングノードｓは、すべてのリソース上のリレーｚについてのレートＲ（ｚ）を得ることができる。リレーｚのバックホールキャパシティは、下記のように与えられることができる。
【数８】
0005475103.tif 000010
【００５７】
なお、ＲＢＨ（ｚ）は、リレーｚのバックホールキャパシティである。
【００５８】
図４で図示されるように、リレーｚのアクセスキャパシティおよびバックホールキャパシティは動的であり得る、そして、考慮中のリソース分配に依存しうる。理想的には、リレーｚのアクセスキャパシティは、リレーｚのバックホールキャパシティと同等であるべきである。アクセスキャパシティがバックホールキャパシティより大きい場合には、リレーｚによって達成された合計レートは、バックホールキャパシティによって制限されるであろう、また、アクセスリンクに対して割り当てられたいくつかのリソースは、未活用（under-utilized）でありうる。リレーｚによってサービス提供されるすべての局についての合計レートは、下記のように、バックホールキャパシティによって制限されることができる。
【数９】
0005475103.tif 000011
【００５９】
対照的に、アクセスキャパシティがバックホールキャパシティより小さい場合には、リレーｚによって達成された合計レートは、アクセスキャパシティによって制限されるであろう、また、バックホールダウンリンクに対して割り当てられたいくつかのリソースは、未活用でありうる。リレーｚについてのレートは、下記のように、アクセスキャパシティに基づいて制限されることができる。
【数１０】
0005475103.tif 000012
【００６０】
式（１０）の制限されたレートは、サービングノードｓについてのローカルメトリクスを計算するために使用されることができる。式（１０）で示されるようなリレーｚのレートを制限することは、サービングノードｓについてのより正確なローカルメトリクスを結果としてもたらすことができる。
【００６１】
リレーｚのバックホールキャパシティは、下記のように、リレーｚのアクセスキャパシティに整合されることができる。初めに、サービングノードｓは、リレーｚにおけるアクセス制限はない（すなわち、無限のアクセスキャパシティ）と仮定することによってプレスケジューリングを実行することができる、また、リレーｚのバックホールキャパシティとしてレートＲ（ｚ）を得ることができる。リレーｚはまた、バックホール制限はない（すなわち、無限のバックホールキャパシティ）と仮定することによってプレスケジューリングを実行することができる、また、リレーｚによってサービス提供されるすべての局のレートを合計してリレーｚのアクセスキャパシティを得ることができる。次に、サービングノードｓは、リレーｚに対してバックホールキャパシティを送ることができ、そしてそれはまた、サービングノードｓに対してアクセスキャパシティを送ることができる。アクセスキャパシティがバックホールキャパシティより小さい場合には、サービングノードｓは、新しいアクセスキャパシティ制約を伴って、再びプレスケジューリングを実行することができる。対照的に、バックホールキャパシティがアクセスキャパシティより小さい場合には、リレーｚは、新しいバックホールキャパシティ制約を伴って、再びプレスケジューリングを実行することができる。あるいは、上述されている処理は、一度に１つのノードによって反復して実行されることができる。
【００６２】
各ノードについてのプレスケジューラは、スケジューリング予測を実行することができ、実際のスケジューラとは異なる場合がある、そしてこのことは、各スケジューリングインターバルにおいて限界効用（marginal utility）を最大化させることができる。ある設計では、サービングノードｓについてのプレスケジューラは、ノードｓによってサービス提供される１つの局としてリレーｚを扱うことができる。別の設計では、プレスケジューラは、公平性を改善するために、リレーｚによってサービス提供された局の数を考慮に入れることができる。例えば、リレーｚが合計レートであるＲ（ｚ）でＭ個の局にサービス提供している場合には、プレスケジューラは、それぞれレートＲ（ｚ）／ＭでＭ個の局としてリレーｚをモデル化することが出来る。これは、効用関数がユーザレートのログまたは他のユーザレートの何らかの非線形関数に基づいている場合には、より多くのリソースを割り当てられているリレーｚを結果としてもたらす。
【００６３】
局ｔ（例えば、ＵＥまたはリレー）は、ノードｐによってサービス提供されることができ、そして、例えば式（１）に示されるように、ノードｐについてのローカルメトリクスのコンピューテーションを考慮してそのレートを有することができる。関連付けのために、局ｔは、ノードｐから別のノードへと、例えば近隣セットにおいて、ハンドオーバされることができる。一設計では、スペクトル効率ＳＥ（ｔ，ｑ，ｒ）は、局ｔがハンドオーバされるかもしれない各候補ノードｑについての各リソースｒ上で、局ｔについて推定されることができる。このスペクトル効率は、現在の送信ＰＳＤレベルと、リソースｒ上のアクティブセットの局ｔにおけるすべてのノードのチャネル利得と、に基づいて式（３）で示されるように、推定されることができる。候補ノードｑについての局ｔによって達成されるレートＲ（ｔ，ｑ）は、下記のように推定されることができる。
【数１１】
0005475103.tif 000013
【００６４】
なお、Ｎ（ｑ）は、（局ｔを除く）候補ノードｑによって現在サービス提供される局の数である。
【００６５】
式（１１）では、分子は、基地局またはリレーでありうる候補ノードｑについてのすべての利用可能なリソース上で局ｔによって達成される全体的なレートを提供する。式（１１）は、式（３）とは異なり、局ｔは各リソースを時間のフラクションの間割り当てられるということを仮定する。すべての利用可能なリソース上の局ｔによって達成された全体的なレートは、ノードｑのバックホールキャパシティによって制限されうる。全体的なレートは、ノードｑに対してハンドオーバされている局ｔを説明するために、ノードｑによって現在サービス提供されている局の数に１を足したもので除算される。式（１１）のレートは、局ｔがノードｑによって現在サービス提供される他の局と同じフラクションの利用可能リソースが割り当てられている、推定されたレートであることができる。
【００６６】
候補ノードｑがいずれの局にもサービス提供していない場合には、すべてのリソース上のその現在の送信ＰＳＤはゼロでありうる、そして、式（１１）のレート推定値はゼロでありうる。これは、様々な方法で取り組まれることができる。ある設計では、候補ノードｑは、最良な最初のリソースｒＢ（ｑ）を計算し通知することができ、そしてそれは、異なる効用関数、例えば、リソースｒ上で使用されている名目送信ＰＳＤレベルを伴った効用関数、に基づいて決定されることができる。局ｔは、ノードｑを伴った関連付けの後で局ｔに対してリソースが割り当てられるであろうということを仮定することによって、候補ノードｑについてのそのレートを推定することができる。この仮定は、任意の局に現在サービス提供されていない候補ノードのみに使用されうる。
【００６７】
候補ノードｑについての局ｔによって達成されたレートＲ（ｔ，ｑ）は、ノードｑについてのローカルメトリクスを計算するために使用されることができ、そしてそれは、代わりに、関連付けおよびリソース分配に関する決定を行うことができる。式（１１）で示されるように、レートＲ（ｔ，ｑ）は、（ｉ）ノードｑによってサービス提供される局の数についてのＮ（ｑ）に影響を及ぼしうる、他の関連付け、および（ｉｉ）各リソースｒ上で局ｔのスペクトル効率Ｒ（ｔ，ｑ，ｒ）に影響を及ぼしうる、リソース分配、の影響を受ける可能性がある。
【００６８】
所与のノードｎ（例えば、基地局またはリレー）は、１つまたは複数の基地局を他のノードにハンドアウトすることができる、および／または、他のノードから１つまたは複数の局を受信（ハンドイン）することができる。各局がハンドアウトされるために、レートＲ（ｔ，ｑ）は、局についての各候補ノードについて計算することができ、局についてのα（ｔ，ｒ）パラメータは、ノードｎでゼロに設定されることができる。各候補ノードについてのローカルメトリクスは、その候補ノードについての局のレートＲ（ｔ，ｑ）を考慮することによって、計算することができる。ノードｎによって局に対して以前割り当てられたリソースは、ノードｎによってサービス提供される他の局に対して再割り当てされることができる。各局がハンドインされるために、レートＲ（ｔ，ｎ）は、ノードｎについての局について計算することができ、局についてのα（ｔ，ｒ）パラメータは、局の現在のサービングノードでゼロに設定されることができる。ノードｎについてのローカルメトリクスは、ノードｎについての局のレートＲ（ｔ，ｎ）を考慮に入れることによって計算することができる。
【００６９】
式（１１）のレートはまた、局ｔが無線ネットワークに最初にアクセスするときに、最初の関連付けについてのメトリックとして使用されることができる。局ｔは、各検出可能なノードについての推定されたレートを計算することができる。局ｔは、この情報は利用可能ではないという、各ノードについての無限のバックホールキャパシティを仮定することができる。局ｔは、最も高く推定されたレートでノードにアクセスすることができ、そして、そのノードのスケジューリング予測の一部となりうる。
【００７０】
ある設計では、適合アルゴリズムは、共同の関連付けおよびリソース分配に使用されることができる。アルゴリズムは、現在の動作シナリオを考慮に入れることができるという点で適合しており、そしてそれは、無線ネットワークの異なる部分ごとに異なることがあり、また、時間にわたって変化しうる。適合アルゴリズムは、分散型方式で各ノードによって実行されることができ、１セットのノード、または、場合によっては全体の無線ネットワークにわたって、効用関数を最大化させることを試みることができる。
【００７１】
図５は、共同の関連付けおよびリソース分配を実行するためのプロセス５００の設計を図示する。プロセス５００は、分散型の設計については、近隣セットにおける各ノードによって実行されることができる。上述されるような第１の近隣セットの設計の場合には、近隣セットは、リレーだけではなく基地局に対応するノードを含むことができる。この設計では、近隣セットにおける各リレーおよび各基地局は、プロセス５００を実行することができる。上述されるような第２の近隣セットの設計の場合には、近隣セットは、リレーではなく基地局に対応するノードを含むことができる。この設計では、近隣セットにおける各基地局は、プロセス５００を実行することができる、その基地局によってサービス提供されるすべてのリレー（もしあれば）の影響を考慮に入れることができる。明瞭にするため、プロセス５００は、ノードｐについて下記で説明されており、そしてそれは、基地局または場合によってはリレーであることができる。
【００７２】
ノードｐは、近隣セットにおける各ノードについてのリソースの現在の割り当てを得ることができる（ステップ５１２）。ダウンリンクの場合、ノードについてのリソースの割り当ては、利用可能なリソースについての送信ＰＳＤレベルのリストによって定義されることができ、各利用可能なリソースにつき１つの送信ＰＳＤレベルがある。各リソースについての送信ＰＳＤレベルは、リソース上のノードについての許容された送信ＰＳＤを示すことができる。ノードｐはまた、近隣セットにおける各ノードの現在のローディングを得ることができる（ステップ５１４）。ノードのローディングは、ノードによってサービス提供されている局の数、ノードによって使用されるリソースの割合などによって定義されることができる。ノードｐは、バックホールを介して、または他の手段を通じて、近隣ノードの現在のローディングと現在の割り当てられたリソースを得ることができる。ノードｐはまた、最初のアクセスまたはハンドオーバ決定のために、近隣ノードへのバックホールを介して、また、場合によっては、局による使用のために無線で、その現在の割り当てられたリソースおよび／またはローディングを通知することができる。
【００７３】
ノードｐは、ノードｐおよび／または近隣ノードによって実行されることができる関連付けおよびリソース分配に関して起こり得るアクションのリストを決定することができる（ステップ５１６）。起こり得るアクションは、関連付けのみ、または、リソース分配のみ、または、関連付けおよびリソース分配の両方、をカバーすることができる。リソース分配についての起こり得るアクションは、ノードｐについてのリソースの特定の割り当てと、近隣セットにおける各近隣ノードについてのリソースの特定の割り当て、をカバーすることができる。ダウンリンクの場合、リソース分配についての起こり得るアクションは、特定のリソース上でその送信ＰＳＤを変更しているノードｐおよび／またはリソース上でその送信ＰＳＤを変更している近隣ノード、を必要とすることができる。関連付けおよびリソース分配についての起こり得るアクションは、近隣ノードへとハンドオーバされている局と、近隣ノードへの利用可能なリソース（例えば、より高い送信ＰＳＤレベル）の許可と、をカバーすることができる。関連付けおよびリソース分配についてのいくつかの起こり得るアクションが下記で説明されている。
【００７４】
上述される第１の近隣セットの設計の場合、起こり得るアクションのリストは、異なるノードについてのリソース分配に関する起こり得るアクションと、リレーのアクセスリンクおよびバックホールリンク間のリソース分配に関する起こり得るアクションと、を含むことができる。例えば、１つの起こり得るアクションは、（ｉ）あるリソースを割り当てられているノードｐと、（ｉｉ）リレーｚのアクセスリンクとバックホールリンクとの間で割り当てられたリソースの第１の分配、をカバーすることができる。別の起こり得るアクションは、（ｉ）同じリソースを割り当てられているノードｐと、（ｉｉ）リレーｚのアクセスリンクおよびバックホールリンク間で割り当てられたリソースの第２の分配、をカバーすることができる。
【００７５】
上述される第２の近隣セットの設計の場合、起こり得るアクションのリストは、異なるノードについてのリソース分配に関する起こり得るアクションを含むことができる。あるリソースが割り当てられているノードｐを伴った所与の起こり得るアクションの場合、ノードｐおよびリレーｚ間の割り当てられたリソースの異なって起こり得る分配が評価されうる。最良の性能を伴ったアクセス／バックホールの分配は、起こり得るアクションのために、ノードｐについてのローカルメトリックを計算するために使用されることができる。
【００７６】
起こり得るアクションのリストは、（ｉ）いずれの明示的なリクエストなしに周期的に評価されうる標準アクション、および／または、（ｉｉ）近隣ノードからのリクエストに応じて評価されうるオンデマンドアクション、を含むことができる。標準アクションは、１つのリソースと、および１つまたは２つのノードのうちのいずれかと、を含むことができる。オンデマンドアクションは、局のハンドオーバ、（例えば、ハンドオーバ・ネゴシエーションのための）１以上のリソースの割り当て、（例えば、リソース分配のための）１以上の近隣ノードを含むアクション等を含むことができる。
【００７７】
ノードｐは、異なって起こり得るアクションについてローカルメトリクスを計算することができる（ブロック５１８）。例えば、式（１）の和のレートの効用関数に基づいたローカルメトリクスは、特定のアクションａについてのノードｐによって達成された全体的なレートを示すことができ、下記のように計算されることができる。
【数１２】
0005475103.tif 000014
【００７８】
なお、Ｒ（ｔ，ａ）は、アクションａについての局ｔによって達成されるレートであり、Ｕ（ｐ，ａ）は、アクションａについてのノードｐについてのローカルメトリックである。
【００７９】
各局についてのレートＲ（ｔ，ａ）は、式（２）および式（３）で示されるように計算されることができ、なお、ＰＳＤ（ｐ，ｒ）およびＰＳＤ（ｑ，ｒ）は、それぞれ、起こり得るアクションａと関連づけられた、ノードｐおよびｑについての送信ＰＳＤレベルのリストに依存することができる。一般に、各起こり得るアクションについてのノードｐのローカルメトリックは、効用関数に依存しうる。
【００８０】
異なって起こり得るアクションについてのローカルメトリクスは、ノードと近隣ノードによって使用され、異なって起こり得るアクションについての全体的なメトリクスを計算することができる。ノードｐは、ａ ∈ Ａの場合、近隣ノードに対し、その計算されたローカルメトリクスＵ（ｐ，ａ）を送ることができ、なお、Ａは、起こり得るアクションのリストを表す（ブロック５２０）。ノードｐはまた、ａ ∈ Ａの場合、各近隣ノードから、ローカルメトリクスＵ（ｑ，ａ）を受信することができる（ブロック５２２）。ノードｐは、その計算されたローカルメトリクスとその受信されたローカルメトリクスとに基づいて、異なって起こり得るアクションについての全体的なメトリクスを計算することができる（ブロック５２４）。例えば、式（１）の和のレートの効用関数に基づいた全体的なメトリックは、下記のように、各起こり得るアクションについて計算されることができる。
【数１３】
0005475103.tif 000015
【００８１】
なお、Ｖ（ａ）は、起こり得るアクションａについての全体的なメトリックである。式（１３）の総和は、ノードｐ以外の近隣セットにおけるすべての近隣ノードにわたる。
【００８２】
メトリック計算を完了した後で、ノードｐは、最良の全体メトリックを伴ったアクションを選択することができる（ブロック５２６）。各近隣ノードは、異なって起こり得るアクションについての全体的なメトリクスを同様に計算することができ、また、最良な全体的なメトリクスを伴ったアクションを選択することができる。ノードｐおよび近隣ノードは、それらが同じセットのローカルメトリクス上で動作する場合には同じアクションを選択すべきである。各ノードは、選択されたアクションに関して互いに通信する必要なく、選択されたアクションに基づいて動作することができる。しかしながら、ノードｐとその近隣ノードは、異なるローカルメトリクス上で動作することができ、異なる最良の全体メトリクスを得ることができる。これは、例えばノードｐとその近隣ノードが異なる近隣セットを有する場合のケースでありうる。このケースでは、ノードｐは、どのアクションをとるかを決定するために近隣ノードとネゴシエートすることができる。このことは、ノード間のいくつかの見込みのあるアクションについての全体的なメトリクスを交換すること、そして、出来るだけ多くのノードについての良好な性能を提供することができるアクションを選択すること、を必要とすることができる。
【００８３】
最良なアクションがどのように選択されるかに関らず、選択されたアクションは、ノードｐについてのリソースの特定の割り当て、場合によっては、ノードｐについての特定の関連付けの更新と関連づけられる。ノードｐは、もしあれば、関連付けの更新に基づいて局のハンドオーバを実行することができる。ノードｐは、選択されたアクションによってノードｐに対して割り当てられたリソースに基づいて、その局と通信することができる（ブロック５２８）。割り当てられたリソースは、送信ＰＳＤレベルのリストによって定義されることができ、各利用可能なリソースにつき１つの特定の送信ＰＳＤレベルがある。ノードｐは、各利用可能なリソースについての指定された送信ＳＰＤレベルを使用することができる。
【００８４】
最良なアクションを見つける徹底的な検索（exhaustive search）を評価する多数の起こり得るアクションがありうる。評価する起こり得るアクションの数は、様々な方法で減らされることができる。ある設計では、各利用可能なリソースは独立して扱われることができ、所与アクションは、１つのリソースのみの送信ＰＳＤレベルを変更することができる。別の設計では、所与アクションについての所与リソース上でそれらの送信ＰＳＤレベルを調節することができるノードの数は制限されうる。さらに別の態様では、所与リソース上の所与ノードについての送信ＰＳＤは、同時に１レベルだけ増加するまたは減少する、のうちのいずれでありうる。起こり得るアクションの数はまた、他の簡略によって減らされることができる。
【００８５】
一設計では、全体としてよいメトリクスをもたらしうる起こり得るアクションのリストが評価されることができる。全体としてよいメトリクスを提供する可能性がない起こり得るアクションは、計算の複雑さを減らすために、スキップされうる。例えば、ノードｐおよび近隣ノードに同じリソース上でそれらのターゲット伝送ＰＳＤレベルを増加させることは、リソース上でエキストラな干渉をもたらす可能性があり、そしてそれは、両方のノードについての性能を低下させる場合がある。したがって、この起こり得るアクションは、スキップされうる。別の例として、ノードｐに近隣ノードｑに対して局をハンドアウトさせ、またノードｑからリソースを主張させる（claim）ことは、より低い全体的なメトリックを結果としてもたらすであろう。この起こり得るアクションもまた、スキップされうる。
【００８６】
表２は、一設計にしたがって、評価されうるリソース分配についての異なるアクションタイプをリストする。
【表２】
0005475103.tif 000016
【００８７】
表２の各アクションタイプは、１セットの可能性あるアクションのそのタイプと関連づけられることができる。ノードｐのみを含んでいる各アクションタイプの場合、Ｋ個の起こり得るアクションは、Ｋ個の利用可能なリソースについて評価されうる。ノードｐとセットＱにおける１つまたは複数の近隣ノードの両方を含んでいる各アクションタイプの場合、複数の起こり得るアクションは各利用可能なリソースについて評価されることができ、起こり得るアクションの数は、近隣セットのサイズ、セットＱのサイズなどに依存している。一般に、セットＱは、１つまたは複数の近隣ノードを含むことができ、そして、評価する起こり得るアクションの数を減らすために、小さい値（例えば、２または３）に限定されうる。
【００８８】
表３は、一設計にしたがって、評価されうる関連付けおよびリソース分配についての異なるアクションタイプをリストする。表３の最初の２行は、関連付けのみについてのアクションタイプをカバーする。表３の最後の２行は、関連付けおよびリソース分配の両方についてのアクションタイプをカバーする。
【表３】
0005475103.tif 000017
【００８９】
表３の各アクションタイプは、１セットの可能性あるアクションのそのタイプと関連づけられうる。１つの局ｔのみを含んでいる、ハンドアウトされた、または、ハンドインされた、アクションタイプの場合、Ｌ個の起こり得るアクションは、Ｌ個の候補局について評価されうる。候補局は、チャネル差異、相対的な強度などのような様々なメトリクスに基づいて識別されることができる。チャネル差異は、（ｉ）局と支配干渉元（dominant interferer）との間のチャネル利得と、（ｉｉ）局とサービングノードとの間のチャネル利得と、の比として定義されることができる。候補局の数は、計算複雑さを縮小するために、制限されうる。例えば、Ｌの最も高いチャネル差異を伴ったＬ個の局は、候補局として選択されることができる。それらのサービングノードの近くに配置された局は、関連付け更新のために評価から省略されうる。評価する起こり得るアクションの数を減らすために、セットＱは、少数の近隣ノードに限定され、セットＴは少数の候補局に限定され、そして、セットＲは、少数のリソースに限定されうる。
【００９０】
表２と表３は、共同の関連付けおよびリソース分配のために評価されうるいくつかのアクションタイプをリストする。より少数の、より多数の、および／または、異なるアクションタイプはまた、評価されうる。
【００９１】
ノードｐは、（ｉ）ノードｐによってサービス提供された局からのパイロット測定と、（ｉｉ）これらの起こり得るアクションと関連づけられたノードｐおよび近隣ノードについての割り当てられたリソース（例えば送信ＰＳＤレベルのリスト）と、（ｉｉｉ）起こり得るアクションについてのアクセスリンクおよびバックホールリンク間の分配と、に基づいて、異なって起こり得るアクションについてのローカルメトリクスを計算することができる。ノードｐによってサービス提供されるリレーは、レート計算について、局と同様な方法で扱われうる。各起こり得るアクションについて、ノードｐは、例えば式（３）で示されるように、各リソースｒ上でノードｐによってサービス提供される各局のスペクトル効率Ｒ（ｔ，ｒ）を最初に計算することができる。スペクトル効率計算は、スケジューリング予測に依存して、ノードｐによってサービス提供される局についてのα（ｔ，ｒ）値を得ることができる。式（３）のＰＳＤ（ｐ，ｒ）およびＰＳＤ（ｑ，ｒ）は、それぞれ、ノードｐおよびｑについての送信ＰＳＤレベルのリストから得られることができる。式（３）のＧ（ｐ，ｔ）およびＧ（ｑ，ｔ）は、それぞれ、ノードｐおよびｑについての局ｔからのパイロット測定から得られることができる。各局についてのレートは、例えば式（２）で示されるように、すべてのリソース上のその局のスペクトル効率に基づいて、計算されることができる。起こり得るアクションについてのローカルメトリクスは、和のレート効用関数について、例えば式（１）で示されるように、ノードｐによってサービス提供されるすべての局についてのレートに基づいて計算されることができる。
【００９２】
ノードｐは、（例えば、バックホールを介して）近隣セットにおける近隣ノードとローカルメトリクスを交換して、各ノードが異なって起こり得るアクションについての全体的なメトリクスを計算することを可能にする。一設計では、ノードｐのみを含んでいる起こり得るアクションについてのローカルメトリクスは、近隣セットにおけるすべての近隣ノードに対して送られることができる。近隣ノードｑを含んでいる起こり得るアクションについてのローカルメトリクスは、ノードｑのみに対して送られることができる。セットＱにおける近隣ノードを含んでいる起こり得るアクションについてのローカルメトリクスは、セットＱにおける各ノードに対して送られることができる。ノードｐは、計算されたローカルメトリクスと受信されたローカルメトリクスとに基づいて、異なって起こり得るアクションについての全体的なメトリクスを計算することができる。
【００９３】
明瞭にするために、共同の関連付けおよびリソース分配は、ダウンリンクについて、具体的に説明されている。ノードに対して、そして、アクセスリンクおよびバックホールリンクに対して利用可能なリソースを割り当てる（関連付けのない）統合リソース分配は、同様な方法で、ダウンリンクについて実行されることができる。このケースでは、リソース分配に関する起こり得るアクションは評価されることができ、関連付けに関する起こり得るアクションは省略されうる。
【００９４】
統合リソース分配、または、共同の関連付けおよびリソース分配はまた、同様な方法でアップリンクについて実行されることができる。ある設計では、１セットのターゲット熱干渉（ＩｏＴ：interference-over-thermal）レベルは、ダウンリンクについての１セットのＰＳＤレベルと同じ方法でアップリンク上のリソース分配に使用されることができる。１つのターゲットＩｏＴは、アップリンク上で各リソースについて選択されることができ、各リソース上の各局からの送信は、アクティブセットの局における各近隣ノードにおけるそのリソース上の実際のＩｏＴが近隣ノードにおけるそのリソースについてのターゲットＩｏＴレベルにある、または、それより下にある、ように制御されることができる。効用関数は、アップリンク上のデータメッセージ（data transmission）の性能を定量化するように定義されることができ、上述されるような関数のうちいずれか、例えばユーザレートの和の関数、であることができる。アップリンク上の各局のレートは、送信電力、チャネル利得、ターゲットＩｏＴレベルなどであることができる。ローカルメトリクスおよび全体的なメトリクスは、効用関数に基づいて、異なって起こり得るアクションについて計算されることができる。各起こり得るアクションは、近隣セットにおける各ノードについてのすべての利用可能なリソースについてのターゲットＩｏＴレベルのリストと関連付けられることができる。全体的に最良なメトリックを伴った起こり得るアクションは、使用のために選択されることができる。
【００９５】
図６は、通信をサポートするためのプロセス６００の設計を示す。プロセス６００は、ノードまたは他の何らかのエンティティによって実行されることができる。リソース分配は、少なくとも１つのリレーのアクセスリンクおよびバックホールリンクに対して、そして１セットのノードに対して、利用可能なリソースを割り当てるために実行されることができる（ブロック６１２）。少なくとも１つのリレーの中のリレー、または、１セットのノードにおけるノード、に対して割り当てられたリソースは、リソース分配に基づいて決定されることができる。（ブロック６１４）。
【００９６】
ある設計では、ブロック６１２のリソース分配は２つのステップで実行されることができる。第１のステップで、リソース分配は、１セットのノードに対して利用可能なリソースを割り当てるために実行されることができる。リレーのサービングノードに対して割り当てられたリソースは、このリソース分配に基づいて決定されることができる。第２のステップで、リソース分配は、リレーのアクセスリンクおよびバックホールリンクに対して、サービングノードに対して割り当てられたリソースを割り当てるために実行されることができる。別の設計では、ブロック６１２のリソース分配は、少なくとも１つのリレーのアクセスリンクおよびバックホールリンクに対して、そして１セットのノードに対して、利用可能なリソースを同時に割り当てするために、ひとつのステップで実行されることができる。
【００９７】
ある設計では、１セットのノードは、基地局と少なくとも１つのリレーを含むことができる。リソース分配は、１セットのノードにおける各ノードについて計算されたメトリクスに基づいて実行されることができる。各ノードについてのメトリクスは、そのノードの性能を示すことができる。別の設計では、１セットのノードは、少なくとも１つのリレーについての少なくとも１つのサービングノードを含むことができ、そして、少なくとも１つのリレーを除外することができる。リソース分配は、１セットのノードにおける各ノードについて計算されたメトリクスに基づいて実行されることができる。各サービングノードについてのメトリクスは、サービングノードによってサービス提供されるすべてのリレーに加え、サービングノードの性能を示すことができる。
【００９８】
ある設計では、リソース分配は、例えば式（１０）で示されるように、リレーについてのバックホールレートをリレーのアクセスキャパシティに制限することによって実行されることができる。リレーのアクセスキャパシティは可変であることができ、リレーのアクセスリンクに対して割り当てられたリソースに依存することができる。別の設計では、リソース分配は、例えば式（９）に示されるように、リレーによってサービス提供されるすべての局についての合計レートをリレーのバックホールキャパシティに制限することによって、実行されることができる。バックホールキャパシティは可変であることができ、リレーのバックホールに対して割り当てられたリソースに依存することができる。
【００９９】
一設計では、リソース分配は、リレーのサービングノードによって局としてリレーをモデル化することによって実行されることができる。別の設計では、リソース分配は、それぞれがレートＲ／Ｍを有するＭ個の局としてリレーをモデル化することによって実行されることができ、なお、Ｍは、リレーによってサービス提供される局の数であり、Ｒは、Ｍ個の局の合計レートである。
【０１００】
ある設計では、少なくとも１つの局についての関連付けが実行されることができる。少なくとも１つの局についての少なくとも１つのサービングノードは、その関連付けに基づいて決定されることができる。関連付けおよびリソース分配は、上述されるように、関連付けおよびリソース分配に関する複数の起こり得るアクションを評価することによって共同して実行されることができる。
【０１０１】
利用可能なリソースは、時間単位、周波数単位、時間−周波数単位などについてであることができる。ある設計では、利用可能なリソースはダウンリンク用であることができる。この設計では、ノードまたはリレーに対して割り当てられたリソースは、送信ＰＳＤレベルのリストによって与えられることができ、各利用可能なリソースにつき１つの送信ＰＳＤレベルがある。別の設計では、利用可能なリソースはアップリンク用であることができる。この設計では、ノードまたはリレーに対して割り当てられたリソースは、ターゲットＩｏＴレベルのリストによって与えられ、各利用可能なリソースにつき１つのターゲットＩｏＴレベルがある。割り当てられたリソースはまた、他の方法で与えられることができる。
【０１０２】
図７は、通信をサポートするための装置７００の設計を図示する。装置７００は、少なくとも１つのリレーのアクセスリンクおよびバックホールリンクに対して、そして１セットのノードに対して利用可能なリソースを割り当てるリソース分配を実行するモジュール７１２と、そのリソース分配に基づいて、少なくとも１つのリレーの中のリレーまたは１セットのノードにおけるノードに対して割り当てられたリソースを決定するモジュール７１４と、を含む。
【０１０３】
図８は、統合リソース分配を実行するためのプロセス８００の設計を図示し、そしてそれは、図６のブロック６１２と６１４に使用されうる。ノードは、１セットのノードのためのリソース分配と、少なくとも１つのリレーのアクセスリンクおよびバックホールリンク間のリソース分配と、に関する複数の起こり得るアクションについてのローカルメトリクスを計算することができる（ブロック８１２）。ノードは、１セットのノードにおける少なくとも１つの近隣ノードに対して計算されたローカルメトリクスを送信して、近隣ノードが複数の起こり得るアクションについての全体的なメトリクスを計算することを可能にすることができる（ブロック８１４）。ノードは、少なくとも１つの近隣ノードから、複数の起こり得るアクションについてのローカルメトリクスを受信することができる（ブロック８１６）。ノードは、これらの起こり得るアクションについての、計算されたローカルメトリクスと受信されたローカルメトリクスに基づいて、複数の起こり得るアクションについての全体的なメトリクスを決定することができる（ブロック８１８）。ノードは、これらの起こり得るアクションについての全体的なメトリクスに基づいて複数の起こり得るアクションのうちの少なくとも１つを選択することができる（ブロック８２０）。ノードは、選択されたアクションに基づいて少なくとも１つのリレーのアクセスリンクおよびバックホールリンクに対して割り当てられたリソースと、１セットのノードに対して割り当てられたリソースと、を決定することができる（ブロック８２２）。
【０１０４】
一設計では、複数の起こり得るアクションは、少なくとも１つの局についての関連付けに関する起こり得るアクションを含むことができる。少なくとも１つの局についての少なくとも１つのサービングノードは、複数の起こり得るアクションについての全体的なメトリクスに基づいて決定されることができる。
【０１０５】
ブロック８１２の一設計では、ノードは、下記のように、各起こり得るアクションについてのローカルメトリクスを計算することができる。ノードは、起こり得るアクションについて、１セットのノードに対する利用可能なリソースの割り当てを決定することができる。例えば、ノードは、（ｉ）ダウンリンクの場合には各ノードについての送信ＰＳＤレベルのリスト、または、（ｉｉ）アップリンクの場合には各ノードについてのターゲットＩｏＴレベルのリスト、を決定することができる。ノードはまた、起こり得るアクションについて、アクセスリンクおよびバックホールリンク間でリソースの割り当てを決定することができる。ノードは、１セットのノードに対する、そして、アクセスリンクおよびバックホールリンクに対する、利用可能なリソースの割り当てに基づいて、ノードと通信している少なくとも１つの局についての少なくとも１つのレートを決定することができる。ノードは、例えば式（１）に示されるように、少なくとも１つの局についての少なくとも１つのレートに基づいて、起こり得るアクションについてのローカルメトリクスを決定することができる。一般的に、各起こり得るアクションについてのローカルメトリクスは、レートまたはレイテンシまたはキュー・サイズ、の関数、または、何らかの他のパラメータ、または、それらの組み合わせ、に基づいて計算されることができる。各起こり得るアクションについてのローカルメトリクスはまた、レートの和、または、レートの最小値、または、レートなどに基づいて決定された数の和、の関数に基づいて計算されることができる。
【０１０６】
上記の説明は、１セットのノードにおける各ノードが異なって起こり得るアクションについてのローカルおよび全体的なメトリクスを計算し交換することができる、分散型の設計に関する。集中型設計の場合には、指定されたエンティティは、異なって起こり得るアクションについてのローカルおよび全体的なメトリクスを計算することができ、最良アクションを選択することができる。
【０１０７】
図９は、通信をサポートするためのプロセス９００の設計を図示する。プロセス９００は、ノードまたは他の何らかのエンティティによって実行されることができる。少なくとも１つのリレーを含んでいる関連付けに関する複数の起こり得るアクションについてのメトリクスが得られることができる（ブロック９１２）。複数の起こり得るアクションは、（ｉ）ノードから近隣ノードへと１つまたは複数の局をハンドアウトするための起こり得るアクション、および／または、（ｉｉ）近隣ノードからノードへ１つまたは複数の局へとハンドインするための起こり得るアクション、を備えることができる。少なくとも１つの局についての少なくとも１つのサービングノードは、複数の起こり得るアクションについてのメトリクスに基づいて決定されることができる（ブロック９１４）。少なくとも１つのサービングノードと少なくとも１つの局は少なくとも１つのリレーを備えることができる。例えば、少なくとも１つのサービングノードは、基地局を備えることができ、少なくとも１つの局はリレーを備えることができる。別の例として、少なくとも１つのサービングノードは、リレーを備えることができ、少なくとも１つの局は、ＵＥを備えることができる。
【０１０８】
一設計では、リレーについてのメトリクス（例、レート、ローカルメトリクス、および／または、全体的なメトリクス）は、リレーのアクセスリンクおよびバックホールリンクに対して割り当てられたリソースに基づいて、計算されることができる。別の設計では、リレーについてのメトリクスは、リレーのアクセスキャパシティおよびバックホールキャパシティに基づいて計算されることができる。両方の設計に関し、メトリクスは、（ｉ）リレーについてのサービングノードを選択する、および／または、（ｉｉ）ＵＥについてのサービングノードとしてリレーを選択するかどうかを決定する、ために使用されることができる。
【０１０９】
図１０は、通信をサポートするための装置１０００の設計を図示する。装置１０００は、少なくとも１つのリレーを含んでいる関連付けに関する複数の起こり得るアクションについてのメトリクスを得るモジュール１０１２と、複数の起こり得るアクションについてのメトリクスに基づいて少なくとも１つの局についての少なくとも１つのサービングノードを決定するモジュール１０１４と、を含む。少なくとも１つのサービングノードと少なくとも１つの局は、少なくとも１つのリレーを備えることができる。
【０１１０】
図１１は、通信をサポートするためのプロセス１１００の設計を図示する。プロセス１１００は、（下記で説明されるように）リレーによって、または、他の何らかのエンティティによって実行されることができる。リレーは、少なくとも１つのリレーのアクセスリンクおよびバックホールリンクに対して、そして、１セットのノードに対して、利用可能なリソースを割り当てるリソース分配に基づいて、リレーに対して割り当てられたリソースを決定することができる。（ブロック１１１２）。リレーは、少なくとも１つのリレーのうちの１つであってもよい。リレーは、リレーに対して割り当てられたリソース上で少なくとも１つの局と通信することができる（ブロック１１１４）。
【０１１１】
ある設計では、１セットのノードはリレーを含むことができる。この設計では、リレーは、リレーに対して割り当てられたリソースを決定するために、１セットのノードにおける他のノードでリソース分配を実行することができる。別の設計では、１セットのノードはリレーを除外することができる。この設計では、リレーは、リレーのサービングノードと、リソース分配（例えば、アクセスキャパシティ、リレーによってサービス提供された局の数、など）に使用される情報を交換することができる。サービングノードは、その交換された情報に基づいてリソース分配を実行することができる。
【０１１２】
一設計では、リレーは、リレーのアクセスキャパシティを決定することができる。リソース分配は、リレーのバックホールレートをリレーのアクセスキャパシティに制限することによって実行されることができる。別の設計では、リレーは、リレーのバックホールキャパシティを決定することができ、リレーのバックホールキャパシティに基づいて、少なくとも１つの局の合計レートを制限することができる。
【０１１３】
一設計では、リレーは、さらに、リレーからハンドアウトされる、または、リレーへハンドインされる、局を決定することができる。一設計では、局のハンドオーバは、関連付けおよびリソース分配に関する複数の起こり得るアクションを評価することによって、リソース分配と共同して実行される関連付けに基づいて決定されることができる。
【０１１４】
図１２は、無線通信システムにおいてデータを交換するための装置１２００の設計を図示する。装置１２００は、少なくとも１つのリレーのアクセスリンクおよびバックホールリンクに対して、そして、１セットのノードに対して利用可能なリソースを割り当てるリソース分配に基づいてリレーに対して割り当てられたリソースを決定するモジュール１２１２と、なお、リレーは少なくとも１つのリレーのうちの１つである、リレーに対して割り当てられたリソース上でリレーによって少なくとも１つの局と通信するモジュール１２１４と、を含む。
【０１１５】
図１３は、無線ネットワークにおいて通信するためのプロセス１３００の設計を図示する。プロセス１３００は、ＵＥによって（下記で説明される）、または、他のあるエンティティによって、実行されることができる。ＵＥは、ＵＥによって検出可能なノードについてのパイロット測定を行うことができる（ブロック１３１２）。パイロット測定は、ＵＥについてのアクティブセットを決定するために、関連付けおよび／またはリソース分配についてのメトリクスを計算するために、および／または、他の目的のために、使用されることができる。ＵＥは、ノードから少なくとも１つのリソースの割り当てを受信することができる（ブロック１３１４）。リソース分配は、少なくとも１つのリレーのアクセスリンクおよびバックホールリンクに対して、そして１セットのノードに対して、利用可能なリソースを割り当てるために実行されることができる。ＵＥに対して割り当てられた少なくとも１つのリソースは、リソース分配によってノードに対して割り当てられた、１サブセットの利用可能なリソースからのものであることができる。一設計では、ノードは、少なくとも１つのリレーのうちの１つであってもよく、ノードに対して割り当てられた１サブセットの利用可能なリソースは、ノード／リレーのアクセスリンク用であることができる。
【０１１６】
ＵＥは、少なくとも１つのリソース上でノードと通信することができる（ブロック１３１６）。一設計では、ダウンリンクの場合、ＵＥは、ノードから少なくとも１つのリソース上でデータメッセージを受信することができる。データメッセージは、リソース上のノードについて許容された送信ＰＳＤレベルで少なくとも１つのリソースの各々上でノードによって送られることができる。別の設計では、アップリンクの場合、ＵＥは、ノードに対して少なくとも１つのリソース上でデータメッセージを送ることができる。ＵＥは、リソース上の少なくとも１つの近隣ノードについての少なくとも１つのターゲットＩｏＴレベルに基づいて決定された送信電力レベルで、少なくとも１つのリソースの各々上でデータメッセージを送ることができる。
【０１１７】
図１４は、通信をサポートするための装置１４００の設計を図示する。装置１４００は、ＵＥによって検出可能なノードについてパイロット測定を行うモジュール１４１２と、ＵＥにおいてノードから少なくとも１つのリソースの割り当てを受信するモジュール１４１４と、ＵＥによって少なくとも１つのリソース上でノードと通信するモジュール１４１６と、を含む。
【０１１８】
図７、１０、１２、および１４のモジュールは、プロセッサ、電子デバイス、ハードウェアデバイス、電子コンポーネント、論理回路、メモリ、ソフトウェアコード、ファームウェアコード等、またはそれらのいずれの組み合わせを備えることができる。
【０１１９】
図１５は、ノード１５００と局１５５０の設計のブロック図を示す。ノード１５００は、基地局またはリレーであってもよい。局１５５０は、リレーまたはＵＥであってもよい。ノード１５００は、Ｔアンテナ１５３４ａ〜１５３４ｔを具備し、局１５５０は、Ｒアンテナ１５５２ａ〜１５５２ｒを具備する、なお、一般的にＴ≧１でＲ≧１である。
【０１２０】
ノード１５００上で、送信プロセッサ１５２０は、１つまたは複数の局についてデータソース１５１２からデータを受信し、コントローラ／プロセッサ１５４０から制御情報を受信することができる。プロセッサ１５２０は、それぞれ、データおよび制御情報を処理して（例えばエンコードし、インタリーブし、そして変調する）、データシンボルと制御シンボルを得ることができる。プロセッサ１５２０はまた、パイロットまた基準信号のパイロットシンボルを生成することができる。送信（ＴＸ）多入力多出力（ＭＩＭＯ）プロセッサ１５３０は、適用可能である場合には、データシンボル、制御シンボル、および／またはパイロットシンボルに関して空間処理（例えば、プレコーディング）を実行することができ、Ｔ変調器（ＭＯＤ）１５３２ａ〜１５３２ｔに対してＴ出力シンボルストリームを提供することができる。各変調器１５３２は、（例えば、ＯＦＤＭ用などの）それぞれの出力シンボルストリームを処理して、出力サンプルストリームを得ることができる。各変調器１５３２は、さらに、出力サンプルストリームを処理することができ（例えば、アナログ変換する、増幅する、フィルタにかける、そしてアップコンバートする）、ダウンリンク信号を得ることができる。変調器１５３２ａ〜１５３２ｔからのＴダウンリンク信号は、それぞれ、Ｔアンテナ１５３４ａ〜１５３４ｔを介して送信されることができる。
【０１２１】
局１５５０で、アンテナ１５５２ａ〜１５５２ｒは、ノード１５００からダウンリンク信号を受信することができ、それぞれ、復調器（ＤＥＭＯＤ）１５５４ａ〜１５５４ｒに対して受信信号を提供することができる。各復調器１５５４は、その受信信号を条件づけて（例えば、フィルタにかけ、増幅し、ダウンコンバートし、そしてデジタル化する）、入力サンプルを得ることができる。各復調器１５５４は、さらに、（例えばＯＦＤＭ用などの）入力サンプルを処理して、受信シンボルを得ることができる。ＭＩＭＯ検出器１５５６は、すべてのＲ復調器１５５４ａ〜１５５４ｒから受信シンボルを得て、適用可能である場合にはその受信シンボルに対してＭＩＭＯ検出を実行し、そして、検出されたシンボルを提供することができる。受信プロセッサ１５５８は、検出されたシンボルを処理し（例えば、復調し、デインタリーブし、そして復号し）、データシンク１５６０に対して局１５５０についての復号データを提供し、コントローラ／プロセッサ１５８０に対して復号された制御情報を提供することができる。
【０１２２】
アップリンク上で、局１５５０において、送信プロセッサ１５６４は、データソース１５６２からデータを、そして、コントローラ／プロセッサ１５８０から制御情報を、受信し処理することができる。プロセッサ１５６４はまた、パイロットまたは基準信号のパイロットシンボルを生成することができる。送信プロセッサ１５６４からのシンボルは、適用可能である場合にはＴＸ ＭＩＭＯプロセッサ１５６６によってプレコードされ、（例えば、ＳＣ−ＦＤＭ、ＯＦＤＭ、等用の）変調器１５５４ａ〜１５５４ｒによってさらに処理され、そして、ノード１５００に対して送信されることができる。ノード１５００では、局１５５０からのアップリンク信号はアンテナ１５３４によって受信され、復調器１５３２によって処理され、適用可能である場合にはＭＩＭＯ検出器１５３６によって検出され、受信プロセッサ１５３８によってさらに処理されて、局１５５０によって送られた復号されたデータおよび制御情報を得ることができる。プロセッサ１５３８は、データシンク１５３９に対して復号されたデータを提供し、コントローラ／プロセッサ１５４０に対して復号された制御情報を提供することができる。
【０１２３】
コントローラ／プロセッサ１５４０および１５８０は、それぞれ、ノード１５００および局１５５０においてオペレーションを命令することができる。チャネルプロセッサ１５８４はパイロット測定を行うことができ、そしてそれは、局１５５０についてのアクティブセットを決定するために、そして、チャネル利得、レート、メトリクス、等を計算するために、使用されることができる。プロセッサ１５４０および／またはノード１５００における他のプロセッサおよびモジュールは、図５のプロセス５００、図６のプロセス６００、図８のプロセス８００、図９のプロセス９００、図１１のプロセス１１００、および／またはここに説明されるような技法の他のプロセスを実行または命令することができる。プロセッサ１５８０および／または局１５５０における他のプロセッサおよびモジュールは、図１１のプロセス１１００、図１３のプロセス１３００および／またはここに説明されるような技法の他のプロセスを実行または命令することができる。メモリ１５４２および１５８２は、それぞれ、ノード１５００と局１５５０についてのデータおよびプログラムコードを保存することができる。スケジューラ１５４４は、ダウンリンクおよび／またはアップリンク上のデータメッセージのために、局をスケジュールすることができる。
【０１２４】
当業者は、情報と信号は、様々な異なる技術および技法のうちのいずれかを使用して表わされることができる、ということを理解するであろう。例えば、上記の説明の全体にわたって参照されることができる、データ、命令、コマンド、情報、信号、ビット、シンボル、およびチップは、電圧、電流、電磁波、磁場あるいは磁粒子、光場あるいは光学粒子、あるいはそれらのいずれの組み合わせ、によって表わされることができる。
【０１２５】
当業者は、様々な説明のための論理ブロック、モジュール、回路、および、ここにおける開示に関連して説明されたアルゴリズムステップは、電子ハードウェア、コンピュータソフトウェアあるいは両方の組み合わせとしてインプリメントされることができる、ということをさらに理解するであろう。ハードウェアとソフトウェアのこの互換性を明瞭に説明するために、様々な説明のためのコンポーネント、ブロック、モジュール、回路およびステップが、一般に、それらの機能性という観点から、上記に説明されてきた。そのような機能性が、ハードウェアあるいはソフトウェアとしてインプリメントされるかどうかは、特定のアプリケーションと全体のシステムに課された設計制約（design constraints）に依存する。熟練職人は、各特定のアプリケーションについての様々な方法で、説明された機能性をインプリメントすることができるが、そのようなインプリメンテーションの決定は、本発明の範囲からの逸脱を生じさせるものとして解釈されるべきでない。
【０１２６】
ここでの開示に関連して説明された様々な説明のための論理、論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、任意の従来のプロセッサ、コントローラ、マイクロコントローラ、あるいはステートマシンであってもよい。プロセッサはまた、コンピューティングデバイスの組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、としてインプリメントされることができる。
【０１２７】
ここにおける開示に関連して説明される方法またはアルゴリズムのステップは、直接ハードウェアで、プロセッサによって実行されるソフトウェアモジュールで、または、２つの組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において常駐することができる。例示的な記憶媒体は、プロセッサに結合されるので、プロセッサが記憶媒体から情報を読み出すことができ、また記憶媒体に情報を書き込むことができる。あるいは、記憶媒体は、プロセッサに一体化されてもよい。プロセッサと記憶媒体は、ＡＳＩＣにおいて常駐することができる。ＡＳＩＣは、ユーザ端末に常駐することができる。あるいは、プロセッサと記憶媒体は、ユーザ機器において、ディスクリートコンポーネントとして常駐することができる。
【０１２８】
１つまたは複数の例示的な設計では、記載された機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、１つまたは複数の命令あるいはコードとして、記憶されてもよく、あるいは、送信されることができる。コンピュータ可読媒体は、ある場所から別の場所へのコンピュータプログラムの転送を容易にするいずれの媒体も含んでいる、コンピュータ記憶媒体と通信媒体の両方を含む。記憶媒体は、汎用コンピュータまたは専用コンピュータによってアクセスされることができる、いずれの利用可能な媒体であることができる。限定されないが例として、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態において望まれるプログラムコード手段を保存あるいは搬送するために使用されることができる、また、汎用または専用コンピュータ、または、汎用または専用プロセッサによってアクセスされることができる、任意の他の媒体も備えることができる。また、いずれの接続（connection）もコンピュータ可読媒体と適切に名付けられる。例えば、ソフトウェアがウェブサイト、サーバ、あるいは、同軸ケーブル、光ファイバーケーブル、ツイストペア、デジタル加入者ライン（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、媒体（medium）の定義に含まれる。ここに使用されているように、ディスク（disk）とディスク（disc）は、コンパクトディスク（compact disc）（ＣＤ）、レーザーディスク（登録商標）（laser disc）、光学ディスク（optical disc）、デジタル汎用ディスク（digital versatile disc）（ＤＶＤ）、フロッピー（登録商標）ディスク（disk）およびブルーレイディスク（blu-ray disc）を含んでおり、「ディスク（disks）」は、大抵、データを磁気で再生しているが、「ディスク（discs）」は、レーザーで光学的に再生する。上記のものの組み合わせも、また、コンピュータ可読媒体の範囲内に含まれるべきである。
【０１２９】
本開示の上記説明は、当業者が本開示を行なうまたは使用することを可能にするために提供されている。本開示に対する様々な修正は、当業者にとっては容易に明らかであろう、そして、ここにおいて定義された包括的な原理は、本開示の精神あるいは範囲から逸脱することなく、他の変形に適用されることができる。したがって、本開示は、ここにおいて記載される例および設計に限定されるようには意図されておらず、ここに開示された原理および新規な特徴に整合する最も広い範囲が与えられるべきである。
以下に、本願出願の当初の特許請求の範囲に記載された発明を付記する。
［Ｃ１］  無線通信のための方法であって、
少なくとも１つのリレーのアクセスリンクおよびバックホールリンクに対して、そして１セットのノードに対して利用可能なリソースを割り当てるリソース分配を実行することと、
前記リソース分配に基づいて、前記少なくとも１つのリレーの中のリレーまたは前記１セットのノードにおけるノードに対して割り当てられたリソースを決定することと、
を備える方法。
［Ｃ２］  前記リソース分配を実行することは、
前記１セットのノードに対して前記利用可能なリソースを割り当てるために、第１のリソース分配を実行することと、
前記第１のリソース分配に基づいて、前記リレーのサービングノードに対して割り当てられたリソースを決定することと、
前記リレーの前記アクセスリンクおよびバックホールリンクに対して、前記サービングノードに対して割り当てられた前記リソースを割り当てるために、第２のリソース分配を実行することと、
を備える、Ｃ１に記載の方法。
［Ｃ３］  前記リソース分配を実行することは、前記少なくとも１つのリレーの前記アクセスリンクおよびバックホールリンクに対して、そして、前記１セットのノードに対して、前記利用可能なリソースを同時に割り当てるリソース分配を実行することを備える、
Ｃ１に記載の方法。
［Ｃ４］  前記１セットのノードは、基地局と前記少なくとも１つのリレーを含み、リソース分配は、前記１セットのノードにおける各ノードについて計算されるメトリクスに基づいて実行され、各ノードについての前記メトリクスは、前記ノードの性能を示す、
Ｃ１に記載の方法。
［Ｃ５］  前記１セットのノードは、少なくとも１つのリレーについての少なくとも１つのサービングノードを含み、前記少なくとも１つのリレーを除外し、リソース分配は、前記１セットのノードにおける各ノードについて計算されるメトリクスに基づいて実行され、各サービングノードについてのメトリクスは、前記サービングノードによってサービス提供されるすべてのリレーと前記サービングノードの性能を示している、
Ｃ１に記載の方法。
［Ｃ６］  リソース分配は、前記リレーについてのバックホールレートを前記リレーのアクセスキャパシティに制限することによって実行され、前記アクセスキャパシティは可変であり、前記リレーの前記アクセスリンクに対して割り当てられたリソースに依存する、
Ｃ１に記載の方法。
［Ｃ７］  リソース分配は、前記リレーによってサービス提供されるすべての局についての合計レートを前記リレーのバックホールキャパシティに制限することによって実行され、前記バックホールキャパシティは可変であり、前記リレーの前記バックホールリンクに対して割り当てられたリソースに依存する、
Ｃ１に記載の方法。
［Ｃ８］  前記リレーはＭ個の局にサービス提供し、前記Ｍ個の局についての合計レートＲを有し、ここで、Ｍは１よりも大きく、Ｒはゼロよりも大きく、リソース分配は、レートＲ／Ｍをそれぞれ有するＭ個の局として前記リレーをモデル化することによって実行される、Ｃ１に記載の方法。
［Ｃ９］  少なくとも１つの局についての関連付けを実行することと、
前記関連付けに基づいて、前記少なくとも１つの局についての少なくとも１つのサービングノードを決定することと、
をさらに備えるＣ１の方法。
［Ｃ１０］  関連付けおよびリソース分配は、関連付けおよびリソース分配に関する複数の起こり得るアクションを評価することによって、共同して実行される、
Ｃ９に記載の方法。
［Ｃ１１］  前記リソース分配を実行することは、
リソース分配に関する複数の起こり得るアクションについての全体的なメトリクスを得ることと、
前記複数の起こり得るアクションについての前記全体的なメトリクスに基づいて、前記少なくとも１つのリレーの前記アクセスリンクおよびバックホールリンクに対して割り当てられたリソースと前記１セットのノードに対して割り当てられたリソースを決定することと、
を備える、Ｃ１に記載の方法。
［Ｃ１２］  前記複数の起こり得るアクションは、少なくとも１つの局についての関連付けに関する起こり得るアクションを含み、前記少なくとも１つの局についての少なくとも１つのサービングノードは、前記複数の起こり得るアクションについての前記全体的なメトリクスに基づいてさらに決定される、
Ｃ１１に記載の方法。
［Ｃ１３］  前記リソース分配を実行することは、
前記ノードによって前記複数の起こり得るアクションについてのローカルメトリクスを計算することと、
前記１セットのノードにおける少なくとも１つの近隣ノードから、前記複数の起こり得るアクションについてのローカルメトリクスを受信することと、
をさらに備え、前記全体的なメトリクスを得ることは、前記複数の起こり得るアクションについての前記受信されたローカルメトリクスと前記計算されたローカルメトリクスとに基づいて前記複数の起こり得るアクションについての前記全体的なメトリクスを決定することを備える、
Ｃ１１に記載の方法。
［Ｃ１４］  前記ローカルメトリクスを計算することは、各起こり得るアクションについて、
前記起こり得るアクションについての前記１セットのノードに対する前記利用可能なリソースの割り当てを決定することと、
前記１セットのノードに対する前記利用可能なリソースの前記割り当てに基づいて、前記ノードと通信している少なくとも１つの局についての少なくとも１つのレートを決定することと、
前記少なくとも１つの局についての前記少なくとも１つのレートに基づいて、前記起こり得るアクションについてのローカルメトリクスを決定することと、
を備える、Ｃ１３に記載の方法。
［Ｃ１５］  前記利用可能なリソースは、ダウンリンク用であり、前記ノードまたは前記リレーに対して割り当てられた前記リソースは、送信電力スペクトル密度（ＰＳＤ）レベルのリストによって与えられ、各利用可能なリソースにつき１つの送信ＰＳＤレベルがある、
Ｃ１に記載の方法。
［Ｃ１６］  前記利用可能なリソースは、アップリンク用であり、前記ノードまたは前記リレーに対して割り当てられた前記リソースは、ターゲット熱干渉（ＩｏＴ）レベルのリストによって与えられ、各利用可能なリソースにつき１つのターゲットＩｏＴレベルがある、
Ｃ１に記載の方法。
［Ｃ１７］  少なくとも１つのリレーのアクセスリンクおよびバックホールリンクに対して、そして１セットのノードに対して利用可能なリソースを割り当てるリソース分配を実行するための手段と、
前記リソース分配に基づいて、前記少なくとも１つのリレーの中のリレーまたは前記１セットのノードにおけるノードに対して割り当てられたリソースを決定するための手段と、
を備える無線通信のための装置。
［Ｃ１８］  少なくとも１つの局についての関連付けを実行するための手段と、
前記関連付けに基づいて、前記少なくとも１つの局についての少なくとも１つのサービングノードを決定するための手段と、
をさらに備えるＣ１７の装置。
［Ｃ１９］  前記リソース分配を実行するための手段は、
リソース分配に関する複数の起こり得るアクションについての全体的なメトリクスを得るための手段と、
前記複数の起こり得るアクションについての前記全体的なメトリクスに基づいて、前記少なくとも１つのリレーの前記アクセスリンクおよびバックホールリンクに対して割り当てられたリソースと前記１セットのノードに対して割り当てられたリソースを決定するための手段、
を備える、Ｃ１７に記載の装置。
［Ｃ２０］  前記リソース分配を実行するための手段は、
前記ノードによって前記複数の起こり得るアクションについてのローカルメトリクスを計算するための手段と、
前記１セットのノードにおける少なくとも１つの近隣ノードから、前記複数の起こり得るアクションについてのローカルメトリクスを受信するための手段と、
をさらに備え、前記全体的なメトリクスを得るための手段は、前記複数の起こり得るアクションについての前記受信されたローカルメトリクスと前記計算されたローカルメトリクスとに基づいて前記複数の起こり得るアクションについての前記全体的なメトリクスを決定するための手段を備える、
Ｃ１９に記載の装置。
［Ｃ２１］  前記ローカルメトリクスを計算するための手段は、各起こり得るアクションについて、  前記起こり得るアクションについての前記１セットのノードに対する前記利用可能なリソースの割り当てを決定するための手段と、
前記１セットのノードに対する前記利用可能なリソースの前記割り当てに基づいて、前記ノードと通信している少なくとも１つの局についての少なくとも１つのレートを決定するための手段と、
前記少なくとも１つの局についての前記少なくとも１つのレートに基づいて前記起こり得るアクションについてのローカルメトリクスを決定するための手段と、
を備える、Ｃ２０に記載の装置。
［Ｃ２２］  少なくとも１つのリレーのアクセスリンクおよびバックホールリンクに対して、そして１セットのノードに対して利用可能なリソースを割り当てるリソース分配を実行するように、前記リソース分配に基づいて前記少なくとも１つのリレーの中のリレーまたは前記１セットのノードにおけるノードに対して割り当てられたリソースを決定するように、構成された少なくとも１つのプロセッサ、
を備える無線通信のための装置。
［Ｃ２３］  コンピュータ可読媒体を備えるコンピュータプログラムプロダクトであって、前記コンピュータ可読媒体は、
少なくとも１つのリレーのアクセスリンクおよびバックホールリンクに対して、そして１セットのノードに対して利用可能なリソースを割り当てるリソース分配を少なくとも１つのコンピュータに実行させるためのコードと、
前記リソース分配に基づいて前記少なくとも１つのリレーの中のリレーまたは前記１セットのノードにおけるノードに対して割り当てられたリソースを前記少なくとも１つのコンピュータに決定させるためのコードと、
を備える、コンピュータプログラムプロダクト。
［Ｃ２４］  少なくとも１つのリレーを含んでいる関連付けに関する複数の起こり得るアクションについてのメトリクスを得ることと、
前記複数の起こり得るアクションについての前記メトリクスに基づいて、少なくとも１つの局についての少なくとも１つのサービングノードを決定することと、
を備え、前記少なくとも１つのサービングノードと前記少なくとも１つの局は、前記少なくとも１つのリレーを備える、
無線通信のための方法。
［Ｃ２５］  前記複数の起こり得るアクションは、ノードから近隣ノードへと１つまたは複数の局をハンドアウトするための起こり得るアクション、または、前記近隣ノードから前記ノードへと１つまたは複数の局においてハンドインするための起こり得るアクション、または、その両方、を備える、
Ｃ２４に記載の方法。
［Ｃ２６］  前記少なくとも１つのサービングノードは基地局を備え、前記少なくとも１つの局はリレーを備える、または、前記少なくとも１つのサービングノードはリレーを備え、前記少なくとも１つの局はユーザ機器（ＵＥ）を備える、または、その両方である、
Ｃ２４に記載の方法。
［Ｃ２７］  リレーについてのメトリクスは、前記リレーのアクセスリンクおよびバックホールリンクに対して割り当てられたリソースに基づいて、計算される、
Ｃ２４に記載の方法。
［Ｃ２８］  リレーについてのメトリクスは、前記リレーのアクセスキャパシティ、または、前記リレーのバックホールキャパシティ、または、その両方に基づいて計算される、
Ｃ２４に記載の方法。
［Ｃ２９］  少なくとも１つのリレーを含んでいる関連付けに関する複数の起こり得るアクションについてのメトリクスが得るための手段と、
前記複数の起こり得るアクションについての前記メトリクスに基づいて、少なくとも１つの局についての少なくとも１つのサービングノードを決定するための手段と、
を備え、前記少なくとも１つのサービングノードと前記少なくとも１つの局は、前記少なくとも１つのリレーを備えることができる、
無線通信のための装置。
［Ｃ３０］  前記複数の起こり得るアクションは、ノードから近隣ノードへと１つまたは複数の局をハンドアウトするための起こり得るアクション、または、前記近隣ノードから前記ノードへと１つまたは複数の局においてハンドインするための起こり得るアクション、または、その両方、を備える、
Ｃ２９に記載の装置。
［Ｃ３１］  リレーについてのメトリクスは、前記リレーのアクセスリンクおよびバックホールリンクに対して割り当てられたリソース、または、前記リレーのアクセスキャパシティ、または、前記リレーのバックホールキャパシティ、または、その組み合わせ、に基づいて計算される、
Ｃ２９に記載の装置。
［Ｃ３２］  少なくとも１つのリレーを含んでいる関連付けに関する複数の起こり得るアクションについてのメトリクスを得るように；前記複数の起こり得るアクションについての前記メトリクスに基づいて、少なくとも１つの局についての少なくとも１つのサービングノードを決定するように、なお、前記少なくとも１つのサービングノードと前記少なくとも１つの局は、前記少なくとも１つのリレーを備える；構成された少なくとも１つのプロセッサ、を備える無線通信のための装置。
［Ｃ３３］  コンピュータ可読媒体を備えるコンピュータプログラムプロダクトであって、前記コンピュータ可読媒体は、
少なくとも１つのリレーを含んでいる関連付けに関する複数の起こり得るアクションについてのメトリクスを少なくとも１つのコンピュータに得させるためのコードと、
前記複数の起こり得るアクションについての前記メトリクスに基づいて、少なくとも１つの局についての少なくとも１つのサービングノードを前記少なくとも１つのコンピュータに決定させるためのコードと、
を備え、前記少なくとも１つのサービングノードと前記少なくとも１つの局は、前記少なくとも１つのリレーを備える、
コンピュータプログラムプロダクト。
［Ｃ３４］  少なくとも１つのリレーのアクセスリンクおよびバックホールリンクに対して、そして、１セットのノードに対して利用可能なリソースを割り当てるリソース分配に基づいてリレーに対して割り当てられたリソースを決定することと、なお、前記リレーは前記少なくとも１つのリレーのうちの１つである、
前記リレーに対して割り当てられた前記リソース上で前記リレーによって少なくとも１つの局と通信することと、
を備える無線通信のための方法。
［Ｃ３５］  前記１セットのノードは、前記リレーを含み、前記リレーは、前記リレーに対して割り当てられた前記リソースを決定するために、前記１セットのノードにおける他のノードでリソース分配を実行する、
Ｃ３４に記載の方法。
［Ｃ３６］  前記１セットのノードは前記リレーを除外し、前記リレーは前記リレーのサービングノードとリソース分配に使用される情報を交換し、前記サービングノードは前記交換された情報に基づいてリソース分配を実行する、
Ｃ３４に記載の方法。
［Ｃ３７］  前記リレーからハンドアウトされるまたは前記リレーへとハンドインされる局を決定すること、をさらに備え、前記局は、関連付けおよびリソース分配に関する複数の起こり得るアクションを評価することによってリソース分配と共同して実行される関連付けに基づいて決定される、
Ｃ３４に記載の方法。
［Ｃ３８］  前記リレーのアクセスキャパシティを決定すること、
をさらに備え、前記リソース分配は、前記リレーについてのバックホールレートを前記リレーのアクセスキャパシティに制限することによって実行される、
Ｃ３４に記載の方法。
［Ｃ３９］  前記リレーのバックホールキャパシティを決定することと、
前記リレーの前記バックホールキャパシティに基づいて、前記少なくとも１つの局の合計レートを制限することと、
をさらに備えるＣ３４に記載の方法。
［Ｃ４０］  少なくとも１つのリレーのアクセスリンクおよびバックホールリンクに対して、そして、１セットのノードに対して利用可能なリソースを割り当てるリソース分配に基づいて、リレーに対して割り当てられたリソースを決定するための手段と、なお、前記リレーは、前記少なくとも１つのリレーのうちの１つである、
前記リレーに対して割り当てられた前記リソース上で、前記リレーによって少なくとも１つの局と通信するための手段と、
を備える無線通信のための装置。
［Ｃ４１］  前記リレーからハンドアウトされるまたは前記リレーへとハンドインされる局を決定するための手段、をさらに備え、前記局は、関連付けおよびリソース分配に関する複数の起こり得るアクションを評価することによって、リソース分配と共同して実行される関連付けに基づいて決定される、
Ｃ４０に記載の装置。
［Ｃ４２］  前記リレーのアクセスキャパシティを決定するための手段、をさらに備え、前記リソース分配は、前記リレーについてのバックホールレートを前記リレーの前記アクセスキャパシティに制限することによって実行される、
Ｃ４０に記載の装置。
［Ｃ４３］  前記リレーのバックホールキャパシティを決定するための手段と、
前記リレーの前記バックホールキャパシティに基づいて、前記少なくとも１つの局の合計レートを制限するための手段と、
をさらに備えるＣ４０に記載の装置。
［Ｃ４４］  少なくとも１つのリレーのアクセスリンクおよびバックホールリンクに対して、そして、１セットのノードに対して利用可能なリソースを割り当てるリソース分配に基づいて、リレーに対して割り当てられたリソースを決定するように、なお、前記リレーは前記少なくとも１つのリレーのうちの１つである、前記リレーに対して割り当てられた前記リソース上で前記リレーによって少なくとも１つの局と通信するように、
構成された少なくとも１つのプロセッサ、
を備える無線通信のための装置。
［Ｃ４５］  コンピュータ可読媒体を備えるコンピュータプログラムプロダクトであって、前記コンピュータ可読媒体は、
少なくとも１つのリレーのアクセスリンクおよびバックホールリンクに対して、そして、１セットのノードに対して利用可能なリソースを割り当てるリソース分配に基づいて、リレーに対して割り当てられたリソースを少なくとも１つのコンピュータに決定させるためのコードと、なお、前記リレーは、前記少なくとも１つのリレーのうちの１つである、  前記リレーに対して割り当てられた前記リソース上で前記リレーによって少なくとも１つの局と前記少なくとも１つのコンピュータに通信させるためのコードと、
を備える、コンピュータプログラムプロダクト。
［Ｃ４６］  ユーザ機器（ＵＥ）においてノードから少なくとも１つのリソースの割り当てを受信することと、なお、リソース分配は、少なくとも１つのリレーのアクセスリンクおよびバックホールリンクに対して、そして１セットのノードに対して、利用可能なリソースを割り当てるために実行され、前記ＵＥに対して割り当てられた前記少なくとも１つのリソースは、前記リソース分配によって前記ノードに対して割り当てられた、１サブセットの前記利用可能なリソースからのものである、
前記ＵＥによって前記少なくとも１つのリソース上で前記ノードと通信することと、を備える無線通信のための方法。
［Ｃ４７］  前記ノードは、前記少なくとも１つのリレーのうちの１つであり、前記ノードに対して割り当てられた前記１サブセットの前記利用可能なリソースは、前記ノードのアクセスリンク用である、
Ｃ４６に記載の方法。
［Ｃ４８］  前記ＵＥによって検出可能なノードについてのパイロット測定を行うこと、
をさらに備え、前記パイロット測定は、前記ＵＥについてのアクティブセットを決定するために、または、リソース分配についてのメトリクスを計算するために、または、両方のために、使用される、
Ｃ４６に記載の方法。
［Ｃ４９］  前記ノードと通信することは、前記ノードから前記少なくとも１つのリソース上のデータメッセージを備え、前記データメッセージは、前記リソース上で前記ノードについて許容された送信電力スペクトル密度（ＰＳＤ）レベルで前記少なくとも１つのリソースの各々上で前記ノードによって送られる、
Ｃ４６に記載の方法。
［Ｃ５０］  前記ノードと通信することは、前記ノードに対して前記少なくとも１つのリソース上でデータメッセージを送ることを備え、前記データメッセージは、前記リソース上で少なくとも１つの近隣ノードについての少なくとも１つのターゲット熱干渉（ＩｏＴ）に基づいて決定される送信電力レベルで前記少なくとも１つのリソースの各々上で前記ＵＥによって送られる、
Ｃ４６に記載の方法。
［Ｃ５１］  ユーザ機器（ＵＥ）においてノードから少なくとも１つのリソースの割り当てを受信するための手段と、なお、リソース分配は、少なくとも１つのリレーのアクセスリンクおよびバックホールリンクに対して、そして１セットのノードに対して、利用可能なリソースを割り当てるために実行され、前記ＵＥに対して割り当てられた前記少なくとも１つのリソースは、前記リソース分配によって前記ノードに対して割り当てられた１サブセットの前記利用可能なリソースからのものである、
前記ＵＥによって前記少なくとも１つのリソース上で前記ノードと通信するための手段と、
を備える無線通信のための装置。
［Ｃ５２］  ユーザ機器（ＵＥ）においてノードから少なくとも１つのリソースの割り当てを受信し、なお、リソース分配は、少なくとも１つのリレーのアクセスリンクおよびバックホールリンクに対して、そして１セットのノードに対して、利用可能なリソースを割り当てるために実行され、前記ＵＥに対して割り当てられた前記少なくとも１つのリソースは、前記リソース分配によって前記ノードに対して割り当てられた１サブセットの前記利用可能なリソースからのものである、前記ＵＥによって前記少なくとも１つのリソース上で前記ノードと通信するように、構成された少なくとも１つのプロセッサ、
を備える無線通信のための装置。
［Ｃ５３］  コンピュータ可読媒体を備えるコンピュータプログラムプロダクトであって、前記コンピュータ可読媒体は、
ユーザ機器（ＵＥ）においてノードから少なくとも１つのリソースの割り当てを少なくとも１つのコンピュータに受信させるためのコードと、なお、リソース分配は、少なくとも１つのリレーのアクセスリンクおよびバックホールリンクに対して、そして１セットのノードに対して、利用可能なリソースを割り当てるために実行され、前記ＵＥに対して割り当てられた前記少なくとも１つのリソースは、前記リソース分配によって前記ノードに対して割り当てられた１サブセットの前記利用可能なリソースからのものである、
前記ＵＥによって前記少なくとも１つのリソース上で、前記ノードと前記少なくとも１つのコンピュータに通信させるためのコードと、
を備える、コンピュータプログラムプロダクト。
【図１】
0005475103.tif 000018
【図２】
0005475103.tif 000019
【図３】
0005475103.tif 000020
【図４】
0005475103.tif 000021
【図５】
0005475103.tif 000022
【図６】
0005475103.tif 000023
【図７】
0005475103.tif 000024
【図８】
0005475103.tif 000025
【図９】
0005475103.tif 000026
【図１０】
0005475103.tif 000027
【図１１】
0005475103.tif 000028
【図１２】
0005475103.tif 000029
【図１３】
0005475103.tif 000030
【図１４】
0005475103.tif 000031
【図１５】
0005475103.tif 000032